(57)【要約】  フィードバック情報送信方法およびデバイスが開示される。方法は、第2のデバイスによって、第1のフィードバック情報セットを生成するステップであって、第1のフィードバック情報セットが、第1のフィードバック情報および第2のフィードバック情報を含み、第1のフィードバック情報が、第1の時間単位と第2の時間単位との間の第1のCBGの復号ステータスをフィードバックするために使用され、第2のフィードバック情報が、第2の時間単位後の第2のCBGの復号ステータスをフィードバックするために使用され、第2の時間単位が、第2のデバイスが第1の時間単位後に第2のCBGを受信する時間単位であり、第2のデバイスが、第2の時間単位中に第1のCBGを受信しない、ステップと、第2のデバイスによって、第3の時間単位中に第1のデバイスに第1のフィードバック情報セットを送信するステップとを含む。方法によれば、TBを送信するデバイスは、誤警報および非誤警報を識別することができ、それによって再送信効率を改善する。
2020515175.tif 000002
【特許請求の範囲】
【請求項１】
第2のデバイスによって、第1のデバイスから第1のトランスポートブロックTBを受信するステップであって、前記第1のTBが複数のコードブロックグループCBGを備え、前記複数のCBGが、第1の時間単位中に前記第2のデバイスによって受信された第1のCBGおよび第2のCBGを備え、前記第1の時間単位中に受信された前記第1のCBGが正常に復号されたCBGであり、前記第1の時間単位中に受信された前記第2のCBGが正常に復号されなかったCBGである、ステップと、
前記第2のデバイスによって、第1のフィードバック情報セットを生成するステップであって、前記第1のフィードバック情報セットが、第1のフィードバック情報および第2のフィードバック情報を備え、前記第1のフィードバック情報が、前記第1の時間単位と第2の時間単位との間の前記第1のCBGの復号ステータスをフィードバックするために使用され、前記第2のフィードバック情報が、前記第2の時間単位後の前記第2のCBGの復号ステータスをフィードバックするために使用され、前記第2の時間単位が、前記第2のデバイスが前記第1の時間単位後に前記第2のCBGを受信する時間単位であり、前記第2のデバイスが、前記第2の時間単位中に前記第1のCBGを受信しない、ステップと、
前記第2のデバイスによって、第3の時間単位中に前記第1のデバイスに前記第1のフィードバック情報セットを送信するステップと
を備えるフィードバック情報送信方法。
【請求項２】
前記第1のフィードバック情報が、少なくとも1つの否定応答NACKを備え、前記第1のフィードバック情報が、前記第1のTBが正常にチェックされず、前記複数のCBGの各々が正常にチェックされたことを示すために使用される、請求項1に記載の方法。
【請求項３】
前記少なくとも1つのNACKが、前記第1のCBGと1対1の対応を有する、請求項2に記載の方法。
【請求項４】
前記第1のフィードバック情報が、前記第1のCBGと1対1の対応を有する肯定応答ACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項1に記載の方法。
【請求項５】
前記第1のフィードバック情報セットが、前記複数のCBGと1対1の対応を有する複数のACKを備え、前記第1のTBが第1の送信プロセスに対応し、前記方法が、
前記第2のデバイスによって、前記第1のデバイスから収集情報を受信するステップであって、前記収集情報が、少なくとも1つの送信プロセスに対応するCBGのフィードバック情報を報告するように前記第2のデバイスに指示するために使用され、前記少なくとも1つの送信プロセスが前記第1の送信プロセスを備える、ステップと、
前記第2のデバイスによって、第4の時間単位中に前記第1のデバイスに前記第1の送信プロセスに対応する第2のフィードバック情報セットを送信するステップであって、前記第2のフィードバック情報セットが、前記複数のCBGと1対1の対応を有する複数のNACKを備え、前記第2のデバイスが、前記第3の時間単位と前記第4の時間単位との間に前記第1の送信プロセスに対応するCBGを受信しない、プロセスと
をさらに備える、請求項1または4に記載の方法。
【請求項６】
第2のデバイスによって、第1のデバイスから第1のトランスポートブロックTBを受信するステップであって、前記第1のTBが複数のコードブロックグループCBGを備える、ステップと、
前記第2のデバイスによって、前記複数のCBGの各々を復号するステップと、
前記第2のデバイスによって、前記第1のデバイスに第3のフィードバック情報セットを送信するステップであって、前記第3のフィードバック情報セットが、前記複数のCBGと1対1の対応を有する複数の否定応答NACKを備え、前記第3のフィードバック情報セットが、前記複数のCBGが正常にチェックされ、前記第1のTBが正常にチェックされなかったことを示すために使用される、ステップと
を備えるフィードバック情報送信方法。
【請求項７】
前記第2のデバイスによって、第1の時間単位中に前記第1のデバイスから前記複数のCBGを受信するステップであって、前記複数のCBGが第1のCBGおよび第2のCBGを備え、前記第1の時間単位中に受信された前記第1のCBGが正常に復号されたCBGであり、前記第1の時間単位中に受信された前記第2のCBGが正常に復号されなかったCBGである、ステップと、
前記第2のデバイスによって、第2の時間単位中に前記第1のデバイスから前記第2のCBGを受信するステップであって、前記第2のデバイスが、前記第2の時間単位中に前記第1のCBGを受信しない、ステップと、
前記第2のデバイスによって、第1のフィードバック情報セットを生成するステップであって、前記第1のフィードバック情報セットが、第1のフィードバック情報および第2のフィードバック情報を備え、前記第1のフィードバック情報が、前記第1の時間単位と前記第2の時間単位との間の前記第1のCBGの復号ステータスをフィードバックするために使用され、前記第2のフィードバック情報が、前記第2の時間単位後の前記第2のCBGの復号ステータスをフィードバックするために使用される、ステップと、
前記第2のデバイスによって、第3の時間単位中に前記第1のデバイスに前記第1のフィードバック情報セットを送信するステップと
をさらに備える、請求項6に記載の方法。
【請求項８】
前記第1のフィードバック情報が、少なくとも1つのNACKを含み、前記第1のフィードバック情報が、前記第1のTBが正常にチェックされず、前記複数のCBGの各々が正常にチェックされたことを示すために使用される、請求項7に記載の方法。
【請求項９】
前記少なくとも1つのNACKが、前記第1のCBGと1対1の対応を有する、請求項8に記載の方法。
【請求項１０】
前記第1のフィードバック情報が、前記第1のCBGと1対1の対応を有する肯定応答ACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項7に記載の方法。
【請求項１１】
前記第1のフィードバック情報セットが、前記複数のCBGと1対1の対応を有する複数のACKを備え、前記第1のTBが、第1の送信プロセスに対応し、前記方法が、
前記第2のデバイスによって、前記第1のデバイスから収集情報を受信するステップであって、前記収集情報が、少なくとも1つの送信プロセスに対応するCBGのフィードバック情報を報告するように前記第2のデバイスに指示するために使用され、前記少なくとも1つの送信プロセスが前記第1の送信プロセスを備える、ステップと、
前記第2のデバイスによって、第4の時間単位中に前記第1のデバイスに前記第1の送信プロセスに対応する第2のフィードバック情報セットを送信するステップであって、前記第2のフィードバック情報セットが、前記複数のCBGと1対1の対応を有する複数のNACKを備え、前記第2のデバイスが、前記第3の時間単位と前記第4の時間単位との間で前記第1の送信プロセスに対応するCBGを受信しない、ステップと
をさらに備える、請求項7または10に記載の方法。
【請求項１２】
第1のデバイスによって、第5の時間単位中に第2のデバイスに第1のトランスポートブロックTBを送信するステップであって、前記第1のTBが複数のコードブロックグループCBGを備え、前記複数のCBGが、第6の時間単位中に前記第1のデバイスによって前記第2のデバイスに送信された第2のCBGを備え、前記複数のCBGが、前記第6の時間単位中に前記第1のデバイスによって送信されない第1のCBGをさらに備え、前記第1のCBGが、前記第5の時間単位と前記第6の時間単位との間に受信されたフィードバック情報に基づいて前記第1のデバイスによって決定され、前記第2のデバイスによって正常に復号されたCBGであり、前記第2のCBGが、前記第5の時間単位と前記第6の時間単位との間に受信された前記フィードバック情報に基づいて前記第1のデバイスによって決定され、前記第2のデバイスによって正常に復号されなかったCBGであり、前記第6の時間単位が前記第5の時間単位の後である、ステップと、
前記第1のデバイスによって、第7の時間単位中に前記第2のデバイスから第1のフィードバック情報セットを受信するステップであって、前記第1のフィードバック情報セットが、第1のフィードバック情報および第2のフィードバック情報を備え、前記第1のフィードバック情報が、前記第5の時間単位と前記第6の時間単位との間の前記第1のCBGの復号ステータスをフィードバックするために使用され、前記第2のフィードバック情報が、前記第6の時間単位後の前記第2のCBGの復号ステータスをフィードバックするために使用され、前記第7の時間単位が前記第6の時間単位の後である、ステップと
を備えるフィードバック情報受信方法。
【請求項１３】
前記第1のフィードバック情報が、少なくとも1つの否定応答NACKを備え、前記第1のフィードバック情報が、前記第1のTBが正常にチェックされず、前記複数のCBGの各々が正常にチェックされたことを示すために使用される、請求項12に記載の方法。
【請求項１４】
前記少なくとも1つのNACKが、前記第1のCBGと1対1の対応を有する、請求項13に記載の方法。
【請求項１５】
前記第1のフィードバック情報が、前記第1のCBGと1対1の対応を有する肯定応答ACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項12に記載の方法。
【請求項１６】
前記第1のフィードバック情報セットが、前記複数のCBGと1対1の対応を有する複数のACKを備え、前記第1のTBは、第1の送信プロセスに対応し、前記方法が、
前記第1のデバイスによって、前記第2のデバイスに第2のTBを送信するステップであって、前記第2のTBが少なくとも1つのCBGを含み、前記第2のTBが第2の送信プロセスに対応する、ステップと、
前記第1のデバイスによって、前記第2のデバイスに収集情報を送信するステップであって、前記収集情報が、少なくとも2つの送信プロセスに対応するCBGのフィードバック情報を報告するように前記第2のデバイスに指示するために使用され、前記少なくとも2つの送信プロセスが第1の送信プロセスおよび第2の送信プロセスを備える、ステップと、
前記第1のデバイスによって、第8の時間単位中に前記第2のデバイスから、前記第1の送信プロセスに対応する第2のフィードバック情報セットを受信するステップであって、前記第2のフィードバック情報セットが、前記複数のCBGと1対1の対応を有する複数のNACKを備え、前記第1のデバイスが、前記第7の時間単位と前記第8の時間範囲との間で前記第2のデバイスについて、前記第1の送信プロセスに対応するCBGをスケジュールしない、ステップと
をさらに備える、請求項12または15に記載の方法。
【請求項１７】
第1のデバイスによって、第2のデバイスに第1のトランスポートブロックTBを送信するステップであって、前記第1のTBが複数のコードブロックグループCBGを備える、ステップと、
前記第1のデバイスによって、前記第2のデバイスから第3のフィードバック情報セットを受信するステップであって、前記第3のフィードバック情報セットが、前記複数のCBGと1対1の対応を有する複数の否定応答NACKを備える、ステップと、
前記第3のフィードバック情報セットに基づいて、前記第1のデバイスによって、前記複数のCBGが正常にチェックされ、前記第1のTBが正常にチェックされなかったことを判定するステップと
を備えるフィードバック情報受信方法。
【請求項１８】
前記第1のデバイスによって、第5の時間単位中に前記第2のデバイスに前記複数のCBGを送信するステップと、
前記第1のデバイスによって、第6の時間単位中に前記第2のデバイスに第2のCBGを送信するステップであって、前記第2のCBGが前記複数のCBGに属し、前記第2のCBGが、第5の時間単位と第6の時間単位との間に受信されたフィードバック情報に基づいて前記第1のデバイスによって決定され、前記第2のデバイスによって正常に復号されなかったCBGであり、前記複数のCBGが第1のCBGをさらに含み、前記第1のCBGが、前記第5の時間単位と前記第6の時間単位との間に受信された前記フィードバック情報に基づいて前記第1のデバイスによって決定され、前記第2のデバイスによって正常に復号されたCBGであり、前記第1のデバイスが、前記第6の時間単位中に前記第1のCBGを送信しない、ステップと、
前記第1のデバイスによって、第7の単位時間中に前記第2のデバイスから第1のフィードバック情報セットを受信するステップであって、前記第1のフィードバック情報セットが、第1のフィードバック情報および第2のフィードバック情報を備え、前記第1のフィードバック情報が、前記第5の時間単位と前記第6の時間単位との間の前記第1のCBGの復号ステータスをフィードバックするために使用され、前記第2のフィードバック情報が、前記第6の時間単位と前記第7の時間単位との間の前記第2のCBGの復号ステータスをフィードバックするために使用される、ステップと
をさらに備える、請求項17に記載の方法。
【請求項１９】
前記第1のフィードバック情報が、少なくとも1つのNACKを備え、前記第1のフィードバック情報が、前記第1のTBが正常にチェックされず、前記複数のCBGの各々が正常にチェックされたことを示すために使用される、請求項18に記載の方法。
【請求項２０】
前記少なくとも1つのNACKが、前記第1のCBGと1対1の対応を有する、請求項19に記載の方法。
【請求項２１】
前記第1のフィードバック情報が、前記第1のCBGと1対1の対応を有するACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項18に記載の方法。
【請求項２２】
前記第1のフィードバック情報セットが、前記複数のCBGと1対1の対応を有する複数の肯定応答ACKを備え、前記第1のTBが、第1の送信プロセスに対応し、前記方法が、
前記第1のデバイスによって、前記第2のデバイスに第2のTBを送信するステップであって、前記第2のTBが少なくとも1つのCBGを備え、前記第2のTBが第2の送信プロセスに対応する、ステップと、
前記第1のデバイスによって、前記第2のデバイスに収集情報を送信するステップであって、前記収集情報が、少なくとも2つの送信プロセスに対応するCBGのフィードバック情報を報告するように前記第2のデバイスに指示するために使用され、前記少なくとも2つの送信プロセスが第1の送信プロセスおよび第2の送信プロセスを含む、ステップと、
前記第1のデバイスによって、第8の時間単位中に前記第2のデバイスから、前記第1の送信プロセスに対応する第2のフィードバック情報セットを受信するステップであって、前記第2のフィードバック情報セットが、前記複数のCBGと1対1の対応を有する複数のNACKを備え、前記第1のデバイスが、前記第7の時間単位と前記第8の時間範囲との間で前記第2のデバイスについて、前記第1の送信プロセスに対応するCBGをスケジュールしない、ステップと
をさらに備える、請求項18または21に記載の方法。
【請求項２３】
処理ユニットと通信ユニットとを備え、前記処理ユニットおよび前記通信ユニットが通信のために接続された、フィードバック情報送信デバイスであって、
前記通信ユニットが、第1のデバイスから第1のトランスポートブロックTBを受信するように構成され、前記第1のTBが複数のコードブロックグループCBGを備え、前記複数のCBGが、第1の時間単位中に前記通信ユニットによって受信された第1のCBGおよび第2のCBGを備え、前記第1の時間単位中に受信された前記第1のCBGが正常に復号されたCBGであり、前記第1の時間単位中に受信された前記第2のCBGが正常に復号されなかったCBGであり、
前記処理ユニットが、第1のフィードバック情報セットを生成するように構成され、前記第1のフィードバック情報セットが、第1のフィードバック情報および第2のフィードバック情報を備え、前記第1のフィードバック情報が、前記第1の時間単位と第2の時間単位との間の前記第1のCBGの復号ステータスをフィードバックするために使用され、前記第2のフィードバック情報が、前記第2の時間単位後の前記第2のCBGの復号ステータスをフィードバックするために使用され、前記第2の時間単位が、前記通信ユニットが前記第1の時間単位後に前記第2のCBGを受信する時間単位であり、前記通信ユニットが、前記第2の時間単位中に前記第1のCBGを受信せず、
前記通信ユニットが、第3の時間単位中に前記第1のデバイスに、前記処理ユニットによって生成された前記第1のフィードバック情報セットを送信するようにさらに構成された、
フィードバック情報送信デバイス。
【請求項２４】
前記第1のフィードバック情報が、少なくとも1つの否定応答NACKを備え、前記第1のフィードバック情報が、前記第1のTBが正常にチェックされず、前記複数のCBGの各々が正常にチェックされたことを示すために使用される、請求項23に記載のデバイス。
【請求項２５】
前記少なくとも1つのNACKが、前記第1のCBGと1対1の対応を有する、請求項24に記載のデバイス。
【請求項２６】
前記第1のフィードバック情報が、前記第1のCBGと1対1の対応を有する肯定応答ACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項23に記載のデバイス。
【請求項２７】
前記第1のフィードバック情報セットが、前記複数のCBGと1対1の対応を有する複数のACKを備え、前記第1のTBが第1の送信プロセスに対応し、
前記通信ユニットが、前記第1のデバイスから収集情報を受信するようにさらに構成され、前記収集情報が、少なくとも1つの送信プロセスに対応するCBGのフィードバック情報を報告するように前記デバイスに指示するために使用され、前記少なくとも1つの送信プロセスが前記第1の送信プロセスを備え、
前記通信ユニットが、第4の時間単位中に前記第1のデバイスに前記第1の送信プロセスに対応する第2のフィードバック情報セットを送信するようにさらに構成され、前記第2のフィードバック情報セットが、前記複数のCBGと1対1の対応を有する複数のNACKを備え、前記通信ユニットが、前記第3の時間単位と前記第4の時間単位との間に前記第1の送信プロセスに対応するCBGを受信しない、
請求項23または26に記載のデバイス。
【請求項２８】
処理ユニットと通信ユニットとを備え、前記処理ユニットおよび前記通信ユニットが通信のために接続された、フィードバック情報送信デバイスであって、
前記通信ユニットが、第1のデバイスから第1のトランスポートブロックTBを受信するように構成され、前記第1のTBが複数のコードブロックグループCBGを備え、
前記処理ユニットが、前記通信ユニットによって受信された前記複数のCBGの各々を復号するように構成され、
前記通信ユニットが、前記第1のデバイスに、前記処理ユニットによって生成された第3のフィードバック情報セットを送信するようにさらに構成され、前記第3のフィードバック情報セットが、前記複数のCBGと1対1の対応を有する複数の否定応答NACKを備え、前記第3のフィードバック情報セットが、前記複数のCBGが正常にチェックされ、前記第1のTBが正常にチェックされなかったことを示すために使用される、
フィードバック情報送信デバイス。
【請求項２９】
前記通信ユニットが、第1の時間単位中に前記第1のデバイスから前記複数のCBGを受信するようにさらに構成され、前記複数のCBGが第1のCBGおよび第2のCBGを備え、前記第1の時間単位中に受信された前記第1のCBGが正常に復号されたCBGであり、前記第1の時間単位中に受信された前記第2のCBGが正常に復号されなかったCBGであり、
前記通信ユニットが、第2の時間単位中に前記第1のデバイスから前記第2のCBGを受信するようにさらに構成され、前記通信ユニットが、前記第2の時間単位中に前記第1のCBGを受信せず、
前記処理ユニットが、第1のフィードバック情報セットを生成するようにさらに構成され、前記第1のフィードバック情報セットが、第1のフィードバック情報および第2のフィードバック情報を備え、前記第1のフィードバック情報が、前記第1の時間単位と前記第2の時間単位との間の前記第1のCBGの復号ステータスをフィードバックするために使用され、前記第2のフィードバック情報が、前記第2の時間単位後の前記第2のCBGの復号ステータスをフィードバックするために使用され、
前記通信ユニットが、第3の時間単位中に前記第1のデバイスに前記第1のフィードバック情報セットを送信するようにさらに構成された、
請求項28に記載のデバイス。
【請求項３０】
前記第1のフィードバック情報が、少なくとも1つのNACKを含み、前記第1のフィードバック情報が、前記第1のTBが正常にチェックされず、前記複数のCBGの各々が正常にチェックされたことを示すために使用される、請求項29に記載のデバイス。
【請求項３１】
前記少なくとも1つのNACKが、前記第1のCBGと1対1の対応を有する、請求項30に記載のデバイス。
【請求項３２】
前記第1のフィードバック情報が、前記第1のCBGと1対1の対応を有する肯定応答ACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項29に記載のデバイス。
【請求項３３】
前記第1のフィードバック情報セットが、前記複数のCBGと1対1の対応を有する複数のACKを備え、前記第1のTBが、第1の送信プロセスに対応し、
前記通信ユニットが、前記第1のデバイスから収集情報を受信するようにさらに構成され、前記収集情報が、少なくとも1つの送信プロセスに対応するCBGのフィードバック情報を報告するように前記デバイスに指示するために使用され、前記少なくとも1つの送信プロセスが前記第1の送信プロセスを備え、
前記通信ユニットが、第4の時間単位中に前記第1のデバイスに前記第1の送信プロセスに対応する第2のフィードバック情報セットを送信するようにさらに構成され、前記第2のフィードバック情報セットが、前記複数のCBGと1対1の対応を有する複数のNACKを備え、前記通信ユニットが、前記第3の時間単位と前記第4の時間単位との間で前記第1の送信プロセスに対応するCBGを受信しない、
請求項29または32に記載のデバイス。
【請求項３４】
処理ユニットと通信ユニットとを備え、前記処理ユニットおよび前記通信ユニットが通信のために接続された、フィードバック情報受信デバイスであって、
前記通信ユニットが、第5の時間単位中に第2のデバイスに第1のトランスポートブロックTBを送信するように構成され、前記第1のTBが複数のコードブロックグループCBGを備え、前記複数のCBGが、第6の時間単位中に前記通信ユニットによって前記第2のデバイスに送信された第2のCBGを備え、前記複数のCBGが、前記第6の時間単位中に前記通信ユニットによって送信されない第1のCBGをさらに備え、前記第1のCBGが、前記第5の時間単位と前記第6の時間単位との間に前記通信ユニットによって受信されたフィードバック情報に基づいて前記処理ユニットによって決定され、前記第2のデバイスによって正常に復号されたCBGであり、前記第2のCBGが、前記第5の時間単位と前記第6の時間単位との間に前記通信ユニットによって受信された前記フィードバック情報に基づいて前記処理ユニットによって決定され、前記第2のデバイスによって正常に復号されなかったCBGであり、前記第6の時間単位が前記第5の時間単位の後であり、
前記通信ユニットが、第7の時間単位中に前記第2のデバイスから第1のフィードバック情報セットを受信するようにさらに構成され、前記第1のフィードバック情報セットが、第1のフィードバック情報および第2のフィードバック情報を備え、前記第1のフィードバック情報が、前記第5の時間単位と前記第6の時間単位との間の前記第1のCBGの復号ステータスをフィードバックするために使用され、前記第2のフィードバック情報が、前記第6の時間単位後の前記第2のCBGの復号ステータスをフィードバックするために使用され、前記第7の時間単位が前記第6の時間単位の後である、
フィードバック情報受信デバイス。
【請求項３５】
前記第1のフィードバック情報が、少なくとも1つの否定応答NACKを備え、前記第1のフィードバック情報が、前記第1のTBが正常にチェックされず、前記複数のCBGの各々が正常にチェックされたことを示すために使用される、請求項34に記載のデバイス。
【請求項３６】
前記少なくとも1つのNACKが、前記第1のCBGと1対1の対応を有する、請求項35に記載のデバイス。
【請求項３７】
前記第1のフィードバック情報が、前記第1のCBGと1対1の対応を有する肯定応答ACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項34に記載のデバイス。
【請求項３８】
前記第1のフィードバック情報セットが、前記複数のCBGと1対1の対応を有する複数のACKを備え、前記第1のTBは、第1の送信プロセスに対応し、
前記通信ユニットが、前記第2のデバイスに第2のTBを送信するように構成され、前記第2のTBが少なくとも1つのCBGを含み、前記第2のTBが第2の送信プロセスに対応し、
前記通信ユニットが、前記第2のデバイスに収集情報を送信するようにさらに構成され、前記収集情報が、少なくとも2つの送信プロセスに対応するCBGのフィードバック情報を報告するように前記第2のデバイスに指示するために使用され、前記少なくとも2つの送信プロセスが第1の送信プロセスおよび第2の送信プロセスを備え、
前記通信ユニットが、第8の時間単位中に前記第2のデバイスから、前記第1の送信プロセスに対応する第2のフィードバック情報セットを受信するようにさらに構成され、前記第2のフィードバック情報セットが、前記複数のCBGと1対1の対応を有する複数のNACKを備え、前記通信ユニットが、前記第7の時間単位と前記第8の時間範囲との間で前記第2のデバイスについて、前記第1の送信プロセスに対応するCBGをスケジュールしない、
請求項34または37に記載のデバイス。
【請求項３９】
処理ユニットと通信ユニットとを備え、前記処理ユニットおよび前記通信ユニットが通信のために接続された、フィードバック情報受信デバイスであって、
前記通信ユニットが、第2のデバイスに第1のトランスポートブロックTBを送信するように構成され、前記第1のTBが複数のコードブロックグループCBGを備え、
前記通信ユニットが、前記第2のデバイスから第3のフィードバック情報セットを受信するようにさらに構成され、前記第3のフィードバック情報セットが、前記複数のCBGと1対1の対応を有する複数の否定応答NACKを備え、
前記処理ユニットが、前記通信ユニットによって受信された前記第3のフィードバック情報セットに基づいて、前記複数のCBGが正常にチェックされ、前記第1のTBが正常にチェックされなかったことを判定するように構成された、
フィードバック情報受信デバイス。
【請求項４０】
前記通信ユニットが、第5の時間単位中に前記第2のデバイスに前記複数のCBGを送信するようにさらに構成され、
前記通信ユニットが、第6の時間単位中に前記第2のデバイスに第2のCBGを送信するようにさらに構成され、前記第2のCBGが前記複数のCBGに属し、前記第2のCBGが、第5の時間単位と第6の時間単位との間に受信されたフィードバック情報に基づいて前記処理ユニットによって決定され、前記第2のデバイスによって正常に復号されなかったCBGであり、前記複数のCBGが第1のCBGをさらに含み、前記第1のCBGが、前記第5の時間単位と前記第6の時間単位との間に受信された前記フィードバック情報に基づいて前記処理ユニットによって決定され、前記第2のデバイスによって正常に復号されたCBGであり、前記処理ユニットが、前記第6の時間単位中に前記第1のCBGを送信せず、
前記通信ユニットが、第7の単位時間中に前記第2のデバイスから第1のフィードバック情報セットを受信するようにさらに構成され、前記第1のフィードバック情報セットが、第1のフィードバック情報および第2のフィードバック情報を備え、前記第1のフィードバック情報が、前記第5の時間単位と前記第6の時間単位との間の前記第1のCBGの復号ステータスをフィードバックするために使用され、前記第2のフィードバック情報が、前記第6の時間単位と前記第7の時間単位との間の前記第2のCBGの復号ステータスをフィードバックするために使用される、
請求項39に記載のデバイス。
【請求項４１】
前記第1のフィードバック情報が、少なくとも1つのNACKを備え、前記第1のフィードバック情報が、前記第1のTBが正常にチェックされず、前記複数のCBGの各々が正常にチェックされたことを示すために使用される、請求項40に記載のデバイス。
【請求項４２】
前記少なくとも1つのNACKが、前記第1のCBGと1対1の対応を有する、請求項41に記載のデバイス。
【請求項４３】
前記第1のフィードバック情報が、前記第1のCBGと1対1の対応を有するACKを備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項40に記載のデバイス。
【請求項４４】
前記第1のフィードバック情報セットが、前記複数のCBGと1対1の対応を有する複数の肯定応答ACKを備え、前記第1のTBが、第1の送信プロセスに対応し、
前記通信ユニットが、前記第2のデバイスに第2のTBを送信するようにさらに構成され、前記第2のTBが少なくとも1つのCBGを備え、前記第2のTBが第2の送信プロセスに対応し、
前記通信ユニットが、前記第2のデバイスに収集情報を送信するようにさらに構成され、前記収集情報が、少なくとも2つの送信プロセスに対応するCBGのフィードバック情報を報告するように前記第2のデバイスに指示するために使用され、前記少なくとも2つの送信プロセスが第1の送信プロセスおよび第2の送信プロセスを含み、
前記通信ユニットが、第8の時間単位中に前記第2のデバイスから、前記第1の送信プロセスに対応する第2のフィードバック情報セットを受信するようにさらに構成され、前記第2のフィードバック情報セットが、前記複数のCBGと1対1の対応を有する複数のNACKを備え、前記第1のデバイスが、前記第7の時間単位と前記第8の時間範囲との間で前記第2のデバイスについて、前記第1の送信プロセスに対応するCBGをスケジュールしない、
請求項40または43に記載のデバイス。
【発明の詳細な説明】
【技術分野】
【０００１】
本出願は、参照によりその全体が本明細書に組み込まれる、2017年3月23日に中国特許庁に出願され、「FEEDBACK INFORMATION SENDING METHOD AND DEVICE」と題された、中国特許出願第201710179901.5号の優先権を主張するものである。
【０００２】
本出願は、ワイヤレス通信の分野に関し、具体的には、フィードバック情報送信方法およびデバイスに関する。
【背景技術】
【０００３】
ワイヤレス通信システムでは、符号化および復号化の複雑さを低減するために、トランスポートブロック(transport block、TB)が複数のコードブロック(code block、CB)に分割され、各CBは、独立したチェック機能を有する。加えて、各TBも独立したチェック機能を有する。TB内の各CBが正常にチェックされた後、受信デバイスは、誤警報(すなわち、いくつかのCBが誤って復号されたがチェックに合格した場合)をタイムリーに識別し、再送信レイテンシを低減するために、TBをさらにチェックする必要がある。
【０００４】
第5世代(5th-Generation、5G)通信システムは、超高信頼性かつ低レイテンシ(ultra-reliable and low-latency communication、URLLC)サービスをサポートするという要件を提起する。URLLCシナリオでは、通常、ワイヤレスエアインターフェースを介する送信レイテンシが1ms以内であり、送信の信頼性が99.999%に達することが必要とされる。加えて、データ送信レイテンシには厳しい要件が課される。
【０００５】
URLLCシナリオにおけるデータ送信要件を満たすために、送信デバイスは、比較的高い優先度を有するデータを優先的に送信し、例えば、送信を開始したTBをパンクチャし(すなわち、生成されたデータを上書きし)、または、比較的高い優先度を有するデータと生成されたTBの両方を送信する。その結果、これらのTB内のいくつかまたはすべてのCBは、正常に復号されない可能性が非常に高く、送信側は、正常に復号されなかったCBを再送信する必要がある。
【０００６】
したがって、再送信効率を改善するためにTB内の正常に復号されなかったCBをどのように決定するかは、現在解決されるべき緊急の問題である。
【発明の概要】
【課題を解決するための手段】
【０００７】
これに鑑みて、本出願は、TB内の正常に復号されなかったCBを決定し、再送信効率を改善するために、フィードバック情報送信方法およびデバイスならびにフィードバック情報受信方法およびデバイスを提供する。
【０００８】
一態様によれば、
第2のデバイスによって、第1のデバイスから第1のトランスポートブロックTBを受信するステップであって、第1のTBが複数のコードブロックグループCBGを含み、複数のCBGが、第1の時間単位中に第2のデバイスによって受信された第1のCBGおよび第2のCBGを含み、第1の時間単位中に受信された第1のCBGが正常に復号されたCBGであり、第1の時間単位中に受信された第2のCBGが正常に復号されなかったCBGである、ステップと、
第2のデバイスによって、第1のフィードバック情報セットを生成するステップであって、第1のフィードバック情報セットが、第1のフィードバック情報および第2のフィードバック情報を含み、第1のフィードバック情報が、第1の時間単位と第2の時間単位との間の第1のCBGの復号ステータスをフィードバックするために使用され、第2のフィードバック情報が、第2の時間単位後の第2のCBGの復号ステータスをフィードバックするために使用され、第2の時間単位が、第2のデバイスが第1の時間単位後に第2のCBGを受信する時間単位であり、第2のデバイスが、第2の時間単位中に第1のCBGを受信しない、ステップと、
第2のデバイスによって、第3の時間単位中に第1のデバイスに第1のフィードバック情報セットを送信するステップと
を含む、フィードバック情報送信方法が提供される。
【０００９】
本出願で提供されるフィードバック情報送信方法によれば、TBを送信するデバイスは、誤警報および非誤警報を識別することができ、それによって再送信効率を改善する。
【００１０】
オプションで、第1のフィードバック情報は、少なくとも1つの否定応答NACKを含み、第1のフィードバック情報は、第1のTBが正常にチェックされず、複数のCBGの各々が正常にチェックされたことを示すために使用される。
【００１１】
このようにして、TBを送信するデバイスは、誤警報および非誤警報を識別することができ、それによって再送信効率を改善する。
【００１２】
オプションで、少なくとも1つのNACKは、第1のCBGと1対1の対応を有する。
【００１３】
このようにして、TBを送信するデバイスは、誤警報および非誤警報を識別することができ、それによって再送信効率を改善する。
【００１４】
オプションで、第1のフィードバック情報は、第1のCBGと1対1の対応を有する肯定応答ACKを含み、第2のCBGは、第2の時間単位と第3の時間単位との間で正常に復号されず、または、第2のCBGは、第2の時間単位と第3の時間単位との間で正常に復号され、第1のTBは、正常にチェックされる。
【００１５】
オプションで、第1のフィードバック情報セットは、複数のCBGと1対1の対応を有する複数のACKを含み、第1のTBが第1の送信プロセスに対応し、方法は、
第2のデバイスによって、第1のデバイスから収集情報を受信するステップであって、収集情報が、少なくとも1つの送信プロセスに対応するCBGのフィードバック情報を報告するように第2のデバイスに指示するために使用され、少なくとも1つの送信プロセスが第1の送信プロセスを含む、ステップと、
第2のデバイスによって、第4の時間単位中に第1のデバイスに第1の送信プロセスに対応する第2のフィードバック情報セットを送信するステップであって、第2のフィードバック情報セットが、複数のCBGと1対1の対応を有する複数のNACKを含み、第2のデバイスが、第3の時間単位と第4の時間単位との間に第1の送信プロセスに対応するCBGを受信しない、プロセスと
をさらに含む。
【００１６】
本明細書で提供されるフィードバック情報送信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告することによって引き起こされる物理層データパケットの損失を回避するために、複数のNACKをフィードバックしてもよい。
【００１７】
別の態様によれば、
第2のデバイスによって、第1のデバイスから第1のトランスポートブロックTBを受信するステップであって、第1のTBが複数のコードブロックグループCBGを含む、ステップと、
第2のデバイスによって、複数のCBGの各々を復号するステップと、
第2のデバイスによって、第1のデバイスに第3のフィードバック情報セットを送信するステップであって、第3のフィードバック情報セットが、複数のCBGと1対1の対応を有する複数の否定応答NACKを含み、第3のフィードバック情報セットが、複数のCBGが正常にチェックされ、第1のTBが正常にチェックされなかったことを示すために使用される、ステップと
を含む、フィードバック情報送信方法が提供される。
【００１８】
本出願で提供されるフィードバック情報送信方法によれば、TBを送信するデバイスは、誤警報および非誤警報を識別することができ、それによって再送信効率を改善する。
【００１９】
オプションで、方法は、
第2のデバイスによって、第1の時間単位中に第1のデバイスから複数のCBGを受信するステップであって、複数のCBGが第1のCBGおよび第2のCBGを含み、第1の時間単位中に受信された第1のCBGが正常に復号されたCBGであり、第1の時間単位中に受信された第2のCBGが正常に復号されなかったCBGである、ステップと、
第2のデバイスによって、第2の時間単位中に第1のデバイスから第2のCBGを受信するステップであって、第2のデバイスが、第2の時間単位中に第1のCBGを受信しない、ステップと、
第2のデバイスによって、第1のフィードバック情報セットを生成するステップであって、第1のフィードバック情報セットが、第1のフィードバック情報および第2のフィードバック情報を含み、第1のフィードバック情報が、第1の時間単位と第2の時間単位との間の第1のCBGの復号ステータスをフィードバックするために使用され、第2のフィードバック情報が、第2の時間単位後の第2のCBGの復号ステータスをフィードバックするために使用される、ステップと、
第2のデバイスによって、第3の時間単位中に第1のデバイスに第1のフィードバック情報セットを送信するステップと
をさらに含む。
【００２０】
本出願で提供されるフィードバック情報送信方法によれば、TBを送信するデバイスは、誤警報および非誤警報を識別することができ、それによって再送信効率を改善する。
【００２１】
オプションで、第1のフィードバック情報は、少なくとも1つのNACKを含み、第1のフィードバック情報は、第1のTBが正常にチェックされず、複数のCBGの各々が正常にチェックされたことを示すために使用される。
【００２２】
このようにして、TBを送信するデバイスは、誤警報および非誤警報を識別することができ、それによって再送信効率を改善する。
【００２３】
オプションで、少なくとも1つのNACKは、第1のCBGと1対1の対応を有する。
【００２４】
オプションで、第1のフィードバック情報は、第1のCBGと1対1の対応を有する肯定応答ACKを含み、第2のCBGは、第2の時間単位と第3の時間単位との間で正常に復号されず、または、第2のCBGは、第2の時間単位と第3の時間単位との間で正常に復号され、第1のTBは、正常にチェックされる。
【００２５】
オプションで、第1のフィードバック情報セットは、複数のCBGと1対1の対応を有する複数のACKを含み、第1のTBは、第1の送信プロセスに対応し、方法は、
第2のデバイスによって、第1のデバイスから収集情報を受信するステップであって、収集情報が、少なくとも1つの送信プロセスに対応するCBGのフィードバック情報を報告するように第2のデバイスに指示するために使用され、少なくとも1つの送信プロセスが第1の送信プロセスを含む、ステップと、
第2のデバイスによって、第4の時間単位中に第1のデバイスに第1の送信プロセスに対応する第2のフィードバック情報セットを送信するステップであって、第2のフィードバック情報セットが、複数のCBGと1対1の対応を有する複数のNACKを含み、第2のデバイスが、第3の時間単位と第4の時間単位との間で第1の送信プロセスに対応するCBGを受信しない、ステップと
をさらに含む。
【００２６】
本明細書で提供されるフィードバック情報送信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告することによって引き起こされる物理層データパケットの損失を回避するために、複数のNACKをフィードバックしてもよい。
【００２７】
さらに別の態様によれば、
第1のデバイスによって、第5の時間単位中に第2のデバイスに第1のトランスポートブロックTBを送信するステップであって、第1のTBが複数のコードブロックグループCBGを含み、複数のCBGが、第6の時間単位中に第1のデバイスによって第2のデバイスに送信された第2のCBGを含み、複数のCBGが、第6の時間単位中に第1のデバイスによって送信されない第1のCBGをさらに含み、第1のCBGが、第5の時間単位と第6の時間単位との間に受信されたフィードバック情報に基づいて第1のデバイスによって決定され、第2のデバイスによって正常に復号されたCBGであり、第2のCBGが、第5の時間単位と第6の時間単位との間に受信されたフィードバック情報に基づいて第1のデバイスによって決定され、第2のデバイスによって正常に復号されなかったCBGであり、第6の時間単位が第5の時間単位の後である、ステップと、
第1のデバイスによって、第7の時間単位中に第2のデバイスから第1のフィードバック情報セットを受信するステップであって、第1のフィードバック情報セットが第1のフィードバック情報および第2のフィードバック情報を含み、第1のフィードバック情報が、第5の時間単位と第6の時間単位との間の第1のCBGの復号ステータスをフィードバックするために使用され、第2のフィードバック情報が、第6の時間単位後の第2のCBGの復号ステータスをフィードバックするために使用され、第7の時間単位が第6の時間単位の後である、ステップと、
第1のフィードバック情報に基づいて、第1のデバイスによって、第1のTBを再送信するかどうかを決定するステップと
を含む、フィードバック情報受信方法が提供される。
【００２８】
本出願で提供されるフィードバック情報送信方法によれば、TBを送信するデバイスは、誤警報および非誤警報を識別することができ、それによって再送信効率を改善する。
【００２９】
オプションで、第1のフィードバック情報は、少なくとも1つの否定応答NACKを含み、第1のフィードバック情報は、第1のTBが正常にチェックされず、複数のCBGの各々が正常にチェックされたことを示すために使用される。
【００３０】
このようにして、TBを送信するデバイスは、誤警報および非誤警報を識別することができ、それによって再送信効率を改善する。
【００３１】
オプションで、少なくとも1つのNACKは、第1のCBGと1対1の対応を有する。
【００３２】
このようにして、TBを送信するデバイスは、誤警報および非誤警報を識別することができ、それによって再送信効率を改善する。
【００３３】
オプションで、第1のフィードバック情報は、第1のCBGと1対1の対応を有する肯定応答ACKを含み、第2のCBGは、第2の時間単位と第3の時間単位との間で正常に復号されず、または、第2のCBGは、第2の時間単位と第3の時間単位との間で正常に復号され、第1のTBは、正常にチェックされる。
【００３４】
オプションで、第1のフィードバック情報セットは、複数のCBGと1対1の対応を有する複数のACKを含み、第1のTBは、第1の送信プロセスに対応し、方法は、
第1のデバイスによって、第2のデバイスに第2のTBを送信するステップであって、第2のTBが少なくとも1つのCBGを含み、第2のTBが第2の送信プロセスに対応する、ステップと、
第1のデバイスによって、第2のデバイスに収集情報を送信するステップであって、収集情報が、少なくとも2つの送信プロセスに対応するCBGのフィードバック情報を報告するように第2のデバイスに指示するために使用され、少なくとも2つの送信プロセスが第1の送信プロセスおよび第2の送信プロセスを含む、ステップと、
第1のデバイスによって、第8の時間単位中に第2のデバイスから、第1の送信プロセスに対応する第2のフィードバック情報セットを受信するステップであって、第2のフィードバック情報セットが、複数のCBGと1対1の対応を有する複数のNACKを含み、第1のデバイスが、第7の時間単位と第8の時間範囲との間で第2のデバイスについて、第1の送信プロセスに対応するCBGをスケジュールしない、ステップと
をさらに含む。
【００３５】
本明細書で提供されるフィードバック情報受信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告することによって引き起こされる物理層データパケットの損失を回避するために、複数のNACKをフィードバックしてもよい。
【００３６】
さらに別の態様によれば、
第1のデバイスによって、第2のデバイスに第1のトランスポートブロックTBを送信するステップであって、第1のTBが複数のコードブロックグループCBGを含む、ステップと、
第1のデバイスによって、第2のデバイスから第3のフィードバック情報セットを受信するステップであって、第3のフィードバック情報セットが、複数のCBGと1対1の対応を有する複数の否定応答NACKを含む、ステップと、
第3のフィードバック情報セットに基づいて、第1のデバイスによって、複数のCBGが正常にチェックされ、第1のTBが正常にチェックされなかったことを判定するステップと
を含むフィードバック情報受信方法が提供される。
【００３７】
本出願で提供されるフィードバック情報送信方法によれば、TBを送信するデバイスは、誤警報および非誤警報を識別することができ、それによって再送信効率を改善する。
【００３８】
オプションで、方法は、
第1のデバイスによって、第5の時間単位中に第2のデバイスに複数のCBGを送信するステップと、
第1のデバイスによって、第6の時間単位中に第2のデバイスに第2のCBGを送信するステップであって、第2のCBGが複数のCBGに属し、第2のCBGが、第5の時間単位と第6の時間単位との間に受信されたフィードバック情報に基づいて第1のデバイスによって決定され、第2のデバイスによって正常に復号されなかったCBGであり、複数のCBGが第1のCBGをさらに含み、第1のCBGが、第5の時間単位と第6の時間単位との間に受信されたフィードバック情報に基づいて第1のデバイスによって決定され、第2のデバイスによって正常に復号されたCBGであり、第1のデバイスが、第6の時間単位中に第1のCBGを送信しない、ステップと、
第1のデバイスによって、第7の単位時間中に第2のデバイスから第1のフィードバック情報セットを受信するステップであって、第1のフィードバック情報セットが第1のフィードバック情報および第2のフィードバック情報を含み、第1のフィードバック情報が、第5の時間単位と第6の時間単位との間の第1のCBGの復号ステータスをフィードバックするために使用され、第2のフィードバック情報が、第6の時間単位と第7の時間単位との間の第2のCBGの復号ステータスをフィードバックするために使用される、ステップと
をさらに含む。
【００３９】
本出願で提供されるフィードバック情報送信方法によれば、TBを送信するデバイスは、誤警報および非誤警報を識別することができ、それによって再送信効率を改善する。
【００４０】
オプションで、第1のフィードバック情報は、少なくとも1つのNACKを含み、第1のフィードバック情報は、第1のTBが正常にチェックされず、複数のCBGの各々が正常にチェックされたことを示すために使用される。
【００４１】
このようにして、TBを送信するデバイスは、誤警報および非誤警報を識別することができ、それによって再送信効率を改善する。
【００４２】
オプションで、少なくとも1つのNACKは、第1のCBGと1対1の対応を有する。
【００４３】
このようにして、TBを送信するデバイスは、誤警報および非誤警報を識別することができ、それによって再送信効率を改善する。
【００４４】
オプションで、第1のフィードバック情報は、第1のCBGと1対1の対応を有するACKを含み、第2のCBGは、第2の時間単位と第3の時間単位との間で正常に復号されず、または、第2のCBGは、第2の時間単位と第3の時間単位との間で正常に復号され、第1のTBは、正常にチェックされる。
【００４５】
オプションで、第1のフィードバック情報セットは、複数のCBGと1対1の対応を有する複数の肯定応答ACKを含み、第1のTBは、第1の送信プロセスに対応し、方法は、
第1のデバイスによって、第2のデバイスに第2のTBを送信するステップであって、第2のTBが少なくとも1つのCBGを含み、第2のTBが第2の送信プロセスに対応する、ステップと、
第1のデバイスによって、第2のデバイスに収集情報を送信するステップであって、収集情報が、少なくとも2つの送信プロセスに対応するCBGのフィードバック情報を報告するように第2のデバイスに指示するために使用され、少なくとも2つの送信プロセスが第1の送信プロセスおよび第2の送信プロセスを含む、ステップと、
第1のデバイスによって、第8の時間単位中に第2のデバイスから、第1の送信プロセスに対応する第2のフィードバック情報セットを受信するステップであって、第2のフィードバック情報セットが、複数のCBGと1対1の対応を有する複数のNACKを含み、第1のデバイスが、第7の時間単位と第8の時間範囲との間で第2のデバイスについて、第1の送信プロセスに対応するCBGをスケジュールしない、ステップと
をさらに含む。
【００４６】
本出願で提供されるフィードバック情報受信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告することによって引き起こされる物理層データパケットの損失を回避するために、複数のNACKをフィードバックしてもよい。
【００４７】
さらに別の態様によれば、本出願は、フィードバック情報送信デバイスを提供する。デバイスは、前述の態様の方法における第2のデバイスによって実行される機能を実施してもよい。機能は、ハードウェアによって実施されてもよく、または対応するソフトウェアを実行することによってハードウェアによって実施されてもよい。ハードウェアまたはソフトウェアは、前述の機能に対応する1つまたは複数のユニットまたはモジュールを含む。
【００４８】
可能な設計では、デバイスの構造は、プロセッサとトランシーバとを含み、プロセッサは、前述の方法における対応する機能を実行する際にデバイスをサポートするように構成される。トランシーバは、デバイスと別のネットワーク要素との間の通信をサポートするように構成される。デバイスは、メモリをさらに含んでもよい。メモリは、プロセッサに結合され、デバイスに必要なプログラム命令とデータとを記憶するように構成される。
【００４９】
さらなる態様によれば、本出願は、リソース構成デバイスを提供する。デバイスは、前述の態様の方法における第1のデバイスによって実行される機能を実施してもよい。機能は、ハードウェアによって実施されてもよく、または対応するソフトウェアを実行することによってハードウェアによって実施されてもよい。ハードウェアまたはソフトウェアは、前述の機能に対応する1つまたは複数のユニットまたはモジュールを含む。
【００５０】
可能な設計では、デバイスの構造は、プロセッサとトランシーバとを含み、プロセッサは、前述の方法における対応する機能を実行する際にデバイスをサポートするように構成される。トランシーバは、デバイスと別のネットワーク要素との間の通信をサポートするように構成される。デバイスは、メモリをさらに含んでもよい。メモリは、プロセッサに結合され、デバイスに必要なプログラム命令とデータとを記憶するように構成される。
【００５１】
さらなる態様によれば、コンピュータプログラム製品が提供される。コンピュータプログラム製品は、コンピュータプログラムコードを含む。コンピュータプログラムコードが端末デバイスの通信ユニット、処理ユニット、トランシーバ、またはプロセッサによって実行されると、第2のデバイスは、前述の実装形態における方法を実行する。
【００５２】
さらなる態様によれば、コンピュータプログラム製品が提供される。コンピュータプログラム製品は、コンピュータプログラムコードを含む。コンピュータプログラムコードが端末デバイスの通信ユニット、処理ユニット、トランシーバ、またはプロセッサによって実行されると、第1のデバイスは、前述の実装形態における方法を実行する。
【００５３】
さらに別の態様によれば、本出願は、第2のデバイスによって使用されるコンピュータソフトウェア命令を記憶するように構成されたコンピュータ記憶媒体を提供する。コンピュータソフトウェア命令は、前述の態様を実行するために設計されたプログラムを含む。
【００５４】
さらに別の態様によれば、本出願は、第1のデバイスによって使用されるコンピュータソフトウェア命令を記憶するように構成されたコンピュータ記憶媒体を提供する。コンピュータソフトウェア命令は、前述の態様を実行するために設計されたプログラムを含む。
【図面の簡単な説明】
【００５５】
【図１】本出願に適用可能な通信システムの概略アーキテクチャ図である。
【図２】本出願によるコードブロックグループ分割方法の概略図である。
【図３】本出願によるフィードバック情報送信方法の概略フローチャートである。
【図４】本出願による別のフィードバック情報送信方法の概略フローチャートである。
【図５】本出願によるフィードバック情報受信方法の概略フローチャートである。
【図６】本出願による別のフィードバック情報受信方法の概略フローチャートである。
【図７】本出願による可能な端末デバイスの概略構造図である。
【図８】本出願による別の可能な端末デバイスの概略構造図である。
【図９】本出願によるさらに別の可能な端末デバイスの概略構造図である。
【図１０】本出願によるさらに別の可能な端末デバイスの概略構造図である。
【図１１】本出願による可能なアクセスネットワークデバイスの概略構造図である。
【図１２】本出願による別の可能なアクセスネットワークデバイスの概略構造図である。
【図１３】本出願によるさらに別の可能なアクセスネットワークデバイスの概略構造図である。
【図１４】本出願によるさらに別の可能なアクセスネットワークデバイスの概略構造図である。
【発明を実施するための形態】
【００５６】
以下は、添付図面を参照して本出願の技術的解決策を説明する。
【００５７】
図1は、本出願に適用可能な通信システム100を示す。通信システム100は、アクセスネットワークデバイス110と端末デバイス120とを含む。アクセスネットワークデバイス110は、ワイヤレスネットワークを使用することによって端末デバイス120と通信する。端末デバイス120がデータを送信するとき、ワイヤレス通信モジュールは、送信するための情報を符号化してもよい。具体的には、ワイヤレス通信モジュールは、チャネルを介してアクセスネットワークデバイス110に送信されるべき特定の量のデータビットを取得してもよい。これらのデータビットは、例えば、処理モジュールによって生成された、別のデバイスから受信された、または記憶デバイス内に記憶されたデータビットである。これらのデータビットは、1つまたは複数のトランスポートブロック(または、情報ブロックもしくはデータブロックと呼ばれることもある)内に含まれてもよく、トランスポートブロックは、複数のコードブロックを生成するためにセグメント化されてもよい。
【００５８】
本出願における端末デバイスは、アクセス端末、ユーザ機器(user equipment、UE)、加入者ユニット、加入者局、移動局、モバイルコンソール、リモート局、リモート端末、モバイルデバイス、ユーザ端末、端末、ワイヤレス通信デバイス、ユーザエージェント、またはユーザ装置と呼ばれることもある。アクセス端末は、セルラー電話、ワイヤレス通信機能を有するハンドヘルドデバイスもしくはコンピューティングデバイス、または、別の処理デバイス、車載デバイス、ワイヤレスモデムに接続されたウェアラブルデバイス、または、5G通信システム内のユーザ機器であってもよい。
【００５９】
アクセスネットワークデバイスは、符号分割多元接続(code division multiple access、CDMA)システムにおける基地トランシーバ局(base transceiver station、BTS)であってもよく、広帯域符号分割多元接続(wideband code division multiple access、WCDMA（登録商標）)システムにおけるNodeB(node B、NB)であってもよく、ロングタームエボリューション(long term evolution、LTE)システムにおける進化型NodeB(evolutional node B、eNB)であってもよく、または5G通信システムにおけるgNodeB(gNB)であってもよい。前述の基地局は、単に説明のための例として使用され、アクセスネットワークデバイスは、代替的には、中継局、アクセスポイント、車載デバイス、ウェアラブルデバイス、または別のタイプのデバイスであってもよい。
【００６０】
本出願に適用可能な前述の通信システムは、単に説明のための例として使用され、本出願に適用可能な通信システムは、それらに限定されない。例えば、通信システムは、別の量のアクセスネットワークデバイスと別の量の端末デバイスとを含んでもよい。
【００６１】
本出願の理解を助けるために、本出願で提供されるフィードバック情報送信方法について説明する前に、本出願に関連する概念について最初に簡単に説明する。
【００６２】
本出願では、TBは、1つまたは複数のCBGに分割されてもよく、各CBGは、少なくとも1つのCBを含む。例えば、TBの分割により得られるCBGの量は、TBのビットの量に基づいて決定されてもよく、または、TBによって占められる時間領域リソースおよび/もしくは周波数領域リソースに基づいて決定されてもよく、または、上位層シグナリングを使用することによって直接構成されてもよい。
【００６３】
TB内のCBは、所定のマッピング規則に従って時間-周波数リソース上にマッピングされてもよい。例えば、所定のマッピング規則は、CBがCBインデックスに基づいて、時間領域の前に周波数領域の順序でマッピングされることであり、または、所定のマッピング規則は、マッピングされる周波数領域が複数のサブ周波数領域に分割され、次いでCBが各サブ周波数領域内にマッピングされることである。
【００６４】
前述のマッピング規則によれば、TBは、例えば、時間次元、周波数次元、または時間-周波数次元の分割方法において、TBがマッピングされる時間-周波数リソースに基づいて、CBGに分割されてもよい。このように、分割によって得られた複数のCBGは、同じCBを有してもよく、または同じCBを有さなくてもよい。分割によって得られた複数のCBGが同じCBを有するかどうかは、上記で説明した最終的なリソースマッピング結果に依存する。
【００６５】
代替的には、TB内のCBは、別の規則(例えば、TBがマッピングされる時間-周波数リソースに関係しないがトランスポートブロックのビットの量に関連する分割方法)に従って、またはシグナリング通知を使用することによって複数のCBGに分割されてもよい。このように、分割によって得られた複数のCBGは、通常、同じCBを有さない。
【００６６】
TB分割方法は、本出願では限定されない。以下は、2つの例を使用し、2つの例は、本出願におけるTB分割方法に対する限定として解釈されるべきではない。
【００６７】
TB分割方法1:
【００６８】
第1のTBは、4つのCB、すなわち、CB1、CB2、CB3、およびCB4を含む。第1のTBは、前述の別の規則に従って、または上位層シグナリングの指示に基づいて、2つのCBG、すなわち、CBG1およびCBG2に分割されてもよい。CBG1は、CB1とCB2とを含み、CBG2は、CB3とCB4とを含む。
【００６９】
第1のTBは、8つのCB、すなわち、CB1、CB2、CB3、CB4、CB5、CB6、CB7、およびCB8を含む。第1のTBは、前述の別の規則に従って、または上位層シグナリングの指示に基づいて、2つのCBG、すなわち、CBG1およびCBG2に分割されてもよい。CBG1は、CB1と、CB2と、CB3と、CB4とを含み、CBG2は、CB5と、CB6と、CB7と、CB8とを含む。
【００７０】
第1のTBは、8つのCB、すなわち、CB1、CB2、CB3、CB4、CB5、CB6、CB7、およびCB8を含む。第1のTBは、前述の別の規則に従って、または上位層シグナリングの指示に基づいて、4つのCBG、すなわち、CBG1、CBG2、CBG3、およびCBG4に分割されてもよい。CBG1は、CB1とCB2とを含み、CBG2は、CB3とCB4とを含み、CBG3は、CB5とCB6とを含み、CBG4は、CB7とCB8とを含む。
【００７１】
TB分割方法2:
【００７２】
図2は、本出願によるTB分割方法の概略図である。図2に示すように、第1のTBは、時間領域の前に周波数領域の順序で12の時間領域シンボルにマッピングされる42のCBを含み、第1のTBは、時間領域シンボルの次元に基づいて12のCBGに分割される。単一の時間領域シンボルに対応する周波数領域リソースは、制限されるので、いくつかのCBを、すべて同じ時間領域シンボルにマッピングすることはできない。例えば、CBG1は、CB1〜CB4を含み、CBG2は、CB4〜CB7を含み、CB4は、CBG1およびCBG2の共通CBである。
【００７３】
通信システムにおいて送信されたTBが複数のCBGに分割されるとき、受信側は、各CBGの復号ステータスに基づいて送信側にフィードバック情報を送信してもよい。少量のCBGが正常に復号されないとき、送信側は、TB全体を再送信する必要なく、正常に復号されなかったCBGのみを再送信する必要がある。したがって、リソース利用およびデータ送信効率が改善される。
【００７４】
受信したフィードバック情報に基づいて、TBが正常に送信されたことを決定した後、送信側は、受信側に新しいTBを送信してもよい。例えば、基地局は、スケジューリング情報内のハイブリッド自動再送要求(hybrid automatic repeat request、HARQ)プロセス番号フィールドと新データインジケータ(new data indicator、NDI)とを使用することによって、現在のデータ送信が最初の送信かまたは再送信かを示してもよい。端末デバイスが2つのスケジューリング情報を連続して受信した後、2つのスケジューリング情報が同じHARQプロセス番号フィールドを搬送し、2つのスケジューリング情報内で搬送されるNDIフィールドのステータスが異なる場合、端末デバイスは、後者のスケジューリング情報を使用することによってスケジューリングされたHARQプロセスが新しいデータの送信に対応することを決定してもよく、または、2つのスケジューリング情報が同じHARQプロセス番号フィールドを搬送し、2つのスケジューリング情報内で搬送されるNDIフィールドのステータスが同じである場合、端末デバイスは、後者のスケジューリング情報を使用することによってスケジューリングされたHARQプロセスが古いデータの再送信に対応することを決定してもよい。再送信されるべきデータがTBのいくつかのCBGであるとき、部分的な再送信を示すために、新しいインジケータフィールドがスケジューリング情報に追加されてもよく、または、フィールドを再解読するために、例えば、スケジューリング情報内の変調およびコーディングスキーム(modulation coding scheme、MCS)フィールドを再解読するために、スケジューリング情報内の既存のフィールドが再利用されてもよい。前述の方法は、単に説明のための例として使用され、本出願は、それに限定されない。
【００７５】
送信側によって送信されたCBGを受信した後、受信側は、CBGを復号する。正常に復号することは、受信側がCBG内に含まれるすべての重要な情報ビットを取得し、CBGが正常にチェックされることを意味する。CBGチェック方法は、本出願では限定されない。オプションの例では、CBGは、巡回冗長検査(cyclic redundancy check、CRC)を使用することによってチェックされてもよく、または、CBGに対応するプリセットチェック行列を使用することによってチェックされてもよい。正常に復号しないことは、UEがCBG内に含まれるすべての重要な情報ビットを取得しないこと、または、UEがCBG内に含まれるすべての重要な情報ビットを取得するが、CBGが正常にチェックされないことを意味する。
【００７６】
1つのTBについて、TB内の各CBGが正常に復号されたとしても、TBが正常に復号されたとみなされるべきではないことに留意すべきである。したがって、TB内に含まれる各CBGが正常に復号された後、TBは、さらにチェックされる必要がある。TB全体が正常にチェックされた(例えば、TB CRCを使用することによってチェックされた)後、TBが正常に復号されたと判定することができる。
【００７７】
受信したCBGを復号した後、受信側は、各CBGの復号ステータスを送信側にフィードバックする必要がある。受信側は、肯定応答(acknowledge、ACK)を使用することによってCBG復号成功状態またはTB復号成功状態をフィードバックしてもよく、受信側は、否定応答(negative acknowledgement、NACK)を使用することによってCBG復号失敗状態またはTB復号失敗状態をフィードバックしてもよい。各CBGのフィードバック情報は、1ビットであってもよい。時間単位中に受信側によって送信されたすべてのフィードバック情報(すなわち、フィードバック情報セット)のコードブックサイズは、受信されたCBGの量に関連する。しかしながら、これは、フィードバック情報セットのコードブックサイズが受信されたCBGの量に等しいことを意味しない。フィードバック情報セットのコードブックは、TBがチェックに合格したかどうかに関する情報、TBを正確に復号するために必要な冗長情報などをさらに含んでもよい。
【００７８】
以下は、本出願で提供されるフィードバック情報送信方法を詳細に説明する。
【００７９】
図3は、本出願によるフィードバック情報送信方法の概略フローチャートである。方法300は、以下のステップを含む。
【００８０】
S310.第2のデバイスは、第1のデバイスから第1のTBを受信し、第1のTBは、複数のCBGを含み、複数のCBGは、第1の時間単位中に第2のデバイスによって受信される第1のCBGおよび第2のCBGを含み、第1の時間単位中に受信される第1のCBGは、正常に復号されたCBGであり、第1の時間単位中に受信される第2のCBGは、正常に復号されなかったCBGである。
【００８１】
S320.第2のデバイスは、第1のフィードバック情報セットを生成し、第1のフィードバック情報セットは、第1のフィードバック情報と第2のフィードバック情報とを含み、第1のフィードバック情報は、第1の時間単位と第2の時間単位との間の第1のCBGの復号ステータスをフィードバックするために使用され、第2のフィードバック情報は、第2の時間単位後の第2のCBGの復号ステータスをフィードバックするために使用され、第2の時間単位は、第2のデバイスが第1の時間単位後に第2のCBGを受信する時間単位であり、第2のデバイスは、第2の時間単位中に第1のCBGを受信しない。
【００８２】
S330.第2のデバイスは、第3の時間単位中に第1のデバイスに第1のフィードバック情報セットを送信する。
【００８３】
方法300において、第2のデバイスは、端末デバイスであってもよく、または、アクセスネットワークデバイスであってもよい。第2のデバイスが端末デバイスであるとき、第1のデバイスは、アクセスネットワークデバイスである。第1のデバイスがアクセスネットワークデバイスであるとき、第2のデバイスは、端末デバイスである。理解を容易にするために、以下は、第1のデバイスが基地局であり、第2のデバイスがUEである例を使用することによって、本出願の技術的解決策を説明する。
【００８４】
第1のTBは、第1のデバイスによって第2のデバイスに送信される任意のTBである。第1のTBは、事前定義された規則に従って複数のCBGに分割されてもよく、各CBGは、少なくとも1つのCBを含む。基地局によってUEに送信される第1のTBは、1つの時間単位中に送信されてもよく、または、複数の時間単位中に送信されてもよい。これは、本出願では限定されない。相応して、第1の時間単位中にUEによって受信される第1のCBGおよび第2のCBGは、第1のTB内に含まれるCBGのすべてまたはいくつかであってもよい。
【００８５】
本出願では、1つの時間単位の長さは、任意の値に設定されてもよいことが理解されるべきである。これは、本出願では限定されない。
【００８６】
例えば、1つの時間単位は、1つまたは複数のサブフレームを含んでもよい。
【００８７】
代替的には、1つの時間単位は、1つまたは複数のスロット(slot)またはミニスロット(mini-slot)を含んでもよい。
【００８８】
代替的には、1つの時間単位は、1つまたは複数の時間領域シンボルを含んでもよい。
【００８９】
代替的には、1つの時間単位は、1つまたは複数の送信時間間隔(transmission time interval、TTI)または短送信時間間隔(short transmission time interval、sTTI)を含んでもよい。
【００９０】
代替的には、1つの時間単位の長さは、1ミリ秒(ms)である。
【００９１】
代替的には、1つの時間単位の長さは、1ms未満である。
【００９２】
加えて、第1のTBを送信する方法と第1のTBを送信するために使用されるリソースの両方は、本出願では限定されない。例えば、第1のTBは、許可ベース(grant-based)の方法で送信されてもよく、または、許可なし(grant-free)の方法で送信されてもよく、第1のTBを送信するために使用されるスペクトルリソースは、認可されたスペクトルであってもよく、または、認可されていないスペクトルもしくは別の共有スペクトルであってもよい。
【００９３】
第1の時間単位中に第1のTB内に含まれるCBGを受信した後、UEは、第1のTB内に含まれるCBGを復号する。第1のCBGは、正常に復号されたCBGであり、第2のCBGは、正常に復号されなかったCBGである。第1のCBGは、1つまたは複数のCBGであってもよく、第2のCBGは、1つまたは複数のCBGであってもよいことが理解されるべきである。
【００９４】
オプションの実施形態では、第1のフィードバック情報は、第1の単位時間中に受信された第1のCBGの復号ステータスをフィードバックするために使用される。別のオプションの実施形態では、第2のフィードバック情報は、第2の単位時間中に受信された第2のCBGの復号ステータスをフィードバックするために使用される。
【００９５】
加えて、URLLCシナリオでは、基地局は、UEからのフィードバックを待つ必要なしにCBGをK回連続して送信してもよく、第1の時間単位は、K回の送信を受信するためにUEによって使用される時間として理解されるべきである。
【００９６】
例えば、K=3であり、第1の時間単位中にUEによって受信されるCBGが基地局によって3回送信されたCBGであるとき、第1のCBGは、基地局によって3回送信されたCBGを結合して復号した後にUEによって決定される、正常に復号されたCBGであってもよく、第2のCBGは、基地局によって3回送信されたCBGを結合して復号した後にUEによって決定される、正常に復号されなかったCBGであってもよい。
【００９７】
第1のCBGおよび第2のCBGについて、UEは、復号ステータスを1回のみフィードバックしてもよく、または、復号ステータスを複数回フィードバックしてもよい。
【００９８】
第1のCBGおよび第2のCBGについてUEによって送信されたフィードバック情報を受信した後、基地局は、第2のCBGを再送信するが、第1のCBGを再送信することをスキップすると決定する。第2の時間単位中に第2のCBGを受信した後、UEは、第2のCBGを復号し、次いで、第2のフィードバック情報を生成し、第2のフィードバック情報を含む第1のフィードバック情報セットを第3の時間単位中に基地局に送信する。
【００９９】
第2の時間単位中にUEによって受信された第2のCBGが依然として正常に復号されないとき、第2のフィードバック情報は、NACKである。基地局が誤警報を識別することができることを保証するため、すなわち、第2のCBGが正常に復号されなかったか、または第1のTBが正常にチェックされなかったことを第2のフィードバック情報が示すかどうかを基地局が識別することができることを保証するために、UEはさらに、第1の時間単位と第2の時間単位との間の第1のCBGの復号ステータスを示す必要がある。具体的には、第1のフィードバック情報セットは、第1のフィードバック情報と第2のフィードバック情報の両方を含む必要がある。
【０１００】
本出願では、第1のフィードバック情報は、2つの場合、すなわち、ACKまたはNACKを含む。
【０１０１】
第2のCBGが第2の時間単位と第3の時間単位との間に正常に復号され、第1のTBが第2の時間単位と第3の時間単位との間に正常にチェックされたとき、第1の時間単位と第2の時間単位との間の第1のCBGの復号ステータスは、正常に復号された状態であり、すなわち、第1のフィードバック情報は、ACKである。
【０１０２】
第2のCBGが第2の時間単位と第3の時間単位との間に正常に復号され、第1のTBが第2の時間単位と第3の時間単位との間に正常にチェックされなかったとき、それは、第2の時間単位の前の第1のCBGの復号成功状態が実際に不正確であるか、または、第2の時間単位と第3の時間単位との間の第2のCBGの復号成功状態が実際に不正確であるか、または、2つの状態のいずれもが実際に正確であることを示す。この場合、第1のCBGおよび第2のCBGのうちの少なくとも1つにおいて復号およびチェック誤警報が発生し、第1の時間単位と第2の時間単位との間の第1のCBGの復号ステータスは、復号失敗状態であるべきであり、すなわち、第1のフィードバック情報は、NACKである。
【０１０３】
第2のCBGが第2の時間単位と第3の時間単位との間に正常に復号されず、UEが第1のTBをチェックしないか、または、第2のCBGが正常に復号されず、基本的に第1のTBがチェックされるのを失敗させるとき、UEは、第1の時間単位と第2の時間単位との間の第1のCBGの復号ステータスが復号成功状態であり、すなわち、第1のフィードバック情報がACKであると一時的に考える。
【０１０４】
例えば、第1のフィードバック情報がACKであり、第2のフィードバック情報がNACKであるとき、基地局は、第2のCBGが正常に復号されなかったと判定し、基地局は、第1のTB全体を再送信する必要なしに、第3の時間単位後に第2のCBGのみを再送信してもよい。したがって、再送信効率が改善される。
【０１０５】
別の例について、第1のフィードバック情報がACKであり、第2のフィードバック情報がACKであるとき、基地局は、第2のCBGが正常に復号され、第1のTBが正常に復号されたと判定する。
【０１０６】
さらに別の例について、第1のフィードバック情報がNACKであり、第2のフィードバック情報がNACKであるとき、基地局は、第1のTBが正常にチェックされなかったと判定し、第3の時間単位後に第1のTBを再送信してもよい。
【０１０７】
本出願では、「とき」、「場合」、「場合には」は、UEまたは基地局が目的の場合における対応する処理を実行するが、時間を限定することを意図せず、UEまたは基地局が実施中に判定アクションを実行することを必要とせず、他の限定があることを意味しない。
【０１０８】
前述の実施形態は、単に説明のための例として使用され、本出願は、それに限定されない。
【０１０９】
例えば、基地局が第1の時間単位と第2の時間単位との間にUEによって送信されたフィードバック情報を受信しないとき、基地局は、第1のCBGを再送信してもよい(簡単に「第1のCBGの再送信」と呼ばれる)。第2の時間単位の前に再送信された第1のCBGを受信したとき、UEは、第1のCBGの復号ステータスがACKであると直接判定してもよい。この場合、第1のフィードバック情報は、第1の時間単位と第2の時間単位との間に第1のCBGの復号ステータスをフィードバックするために依然として使用される。
【０１１０】
加えて、UEによって第1のフィードバック情報セットを送信する具体的な方法は、本出願では限定されない。第1のフィードバック情報セットは、UEによって積極的に送信されてもよく、または、基地局によって送信されたトリガ情報(例えば、収集情報)に基づいてUEによって送信されてもよい。
【０１１１】
結論として、本出願で提供されるフィードバック情報送信方法によれば、TBを送信するデバイスは、誤警報および非誤警報を識別することができ、それによって再送信効率を改善する。
【０１１２】
オプションで、第1のフィードバック情報は、少なくとも1つのNACKを含み、第1のフィードバック情報は、第1のTBが正常にチェックされず、複数のCBGの各々が正常にチェックされたことを示すために使用される。
【０１１３】
例えば、第1のCBGは、3つのCBGを含む。誤警報が発生しないとき、第1のフィードバック情報は、3つのACKであり、誤警報が発生するとき、第1のフィードバック情報は、1つのNACKおよび2つのACKであってもよい。
【０１１４】
このようにして、TBを送信するデバイスは、誤警報および非誤警報を識別することができ、それによって再送信効率を改善する。
【０１１５】
オプションで、少なくとも1つのNACKは、第1のCBGと1対1の対応を有する。
【０１１６】
例えば、第1のCBGは、3つのCBGを含む。誤警報が発生しないとき、第1のフィードバック情報は、3つのACKであり、誤警報が発生するとき、第1のフィードバック情報は、3つのNACKであってもよい。
【０１１７】
このようにして、TBを送信するデバイスは、誤警報および非誤警報を識別することができ、それによって再送信効率を改善する。
【０１１８】
オプションで、第1のフィードバック情報は、第1のCBGと1対1の対応を有するACKを含み、第2のフィードバック情報は、第2の時間単位と第3の時間単位との間に正常に復号されず、または、第2のフィードバック情報は、第2の時間単位と第3の時間単位との間に正常に復号され、第1のTBは、正常にチェックされる。
【０１１９】
このようにして、TBを送信するデバイスは、誤警報および非誤警報を識別することができ、それによって再送信効率を改善する。
【０１２０】
オプションで、第1のフィードバック情報セットは、複数のCBGと1対1の対応を有する複数のACKを含み、第1のTBは、第1の送信プロセスに対応し、方法300は、以下のステップをさらに含む。
【０１２１】
S340.第2のデバイスは、第1のデバイスから収集情報を受信し、収集情報は、少なくとも1つの送信プロセスに対応するCBGのフィードバック情報を報告するように第2のデバイスに指示するために使用され、少なくとも1つの送信プロセスは、第1の送信プロセスを含む。
【０１２２】
S350.第2のデバイスは、第4の時間単位内に第1の送信プロセスに対応する第2のフィードバック情報セットを第1のデバイスに送信し、第2のフィードバック情報セットは、複数のCBGと1対1の対応を有する複数のNACKを含み、第2のデバイスは、第3の時間単位と第4の時間単位との間に、第1の送信プロセスに対応するCBGを受信しない。
【０１２３】
第1のフィードバック情報セットが、第1のTBに属する複数のCBGと1対1の対応を有するACKを含むとき、それは、複数のCBGの各々が正常に復号され、第1のTBが正常にチェックされたことを示す。次いで、基地局は、新しいTBをUEに送信してもよい。新しいTBは、第1の送信プロセスおよび/または第2の送信プロセスに対応し、第2の送信プロセスは、第1の送信プロセスとは異なる。次に、基地局は、UEから第1の送信プロセスおよび第2の送信プロセスのフィードバック情報を収集する。
【０１２４】
UEは、第1の送信プロセスに対応するTBを受信しなくてもよい(例えば、基地局は、第1の送信プロセスをスケジュールせず、または、基地局は、第1の送信プロセスをスケジュールするが、UEは、スケジューリング情報を受信しない)。したがって、基地局が、第1の送信プロセスに対応するCBGのフィードバック情報を請求するためにUEに収集情報を送信すると、UEは、基地局が第1のTBのフィードバック情報を収集すると誤って判断し、ACKを基地局に送信する。実際、UEは、第1の送信プロセスに対応する新しいTBを受信しない。その結果、データ送信エラーが引き起こされ、後続の上位層の再送信がトリガされ、送信効率が低下する。
【０１２５】
前述のケースを回避するために、UEがNACKを含まない第1のフィードバック情報セットを送信した後、UEが収集情報を受信するとき、UEが第1の送信プロセスに対応するCBGを受信した場合、UEは、復号ステータスに基づいてフィードバックを実行し、UEが第1の送信プロセスに対応するCBGを受信しない場合、UEは、第1のTBに対応する複数のCBGと1対1の対応を有する複数のNACKをフィードバックする。複数のNACKは、第2のフィードバック情報セットに属し、第2のフィードバック情報セットは、第1の送信プロセスのプロセス番号をさらに含んでもよい。
【０１２６】
したがって、本出願で提供されるフィードバック情報送信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告するために引き起こされる物理層データパケットの損失を回避するために、複数のNACKをフィードバックしてもよい。
【０１２７】
図4は、本出願による別のフィードバック情報送信方法の概略フローチャートである。方法400は、以下のステップを含む。
【０１２８】
S410.第2のデバイスは、第1のデバイスから第1のTBを受信し、第1のTBは、複数のCBGを含む。
【０１２９】
S420.第2のデバイスは、複数のCBGの各々を復号する。
【０１３０】
S430.第2のデバイスは、第1のデバイスに第3のフィードバック情報セットを送信し、第3のフィードバック情報セットは、複数のCBGと1対1の対応を有する複数のNACKを含み、第3のフィードバック情報セットは、複数のCBGが正常にチェックされ、第1のTBが正常にチェックされなかったことを示すために使用される。
【０１３１】
方法400において、第1のデバイスは、例えば、基地局であり、第2のデバイスは、例えば、UEである。
【０１３２】
S410において、複数のCBGは、1つの時間単位中にUEによって受信されるCBGであってもよく、または、複数の時間単位中にUEによって受信されるCBGであってもよい。複数のCBGを送信する方法は、本出願では限定されない。複数のCBGを復号した結果は、以下の4つのケースを含む。
【０１３３】
ケース1:複数のCBGの各々が正常にチェックされ、第1のTBが正常にチェックされたとき、UEは、複数のCBGと1対1の対応を有する複数のACKを送信する。
【０１３４】
ケース2:複数のCBGのうちのいくつかが正常にチェックされ、いくつかが正常にチェックされなかったとき、UEは、対応するACKおよびNACKを送信する。
【０１３５】
ケース3:複数のCBGのすべてが正常にチェックされなかったとき、UEは、1つのNACKを送信する。
【０１３６】
ケース4:複数のCBGの各々が正常にチェックされたが、第1のTBが正常にチェックされなかったとき(すなわち、誤警報)、UEは、複数のCBGと1対1の対応を有する複数のNACKを送信する。
【０１３７】
S430において、第3のフィードバック情報セットは、他の情報をさらに含んでもよい。加えて、第2のデバイスは、第3の情報セットを自動的に送信してもよく、または、第1のデバイスによって送信されたトリガ情報に基づいて第3の情報セットを送信してもよい。
【０１３８】
結論として、本出願で提供されるフィードバック情報送信方法によれば、TBを送信するデバイスは、誤警報および非誤警報を識別することができ、それによって再送信効率を改善する。
【０１３９】
オプションで、方法400は、以下のステップをさらに含む。
【０１４０】
S440.第2のデバイスは、第1の時間単位中に第1のデバイスから複数のCBGを受信し、複数のCBGは、第1のCBGと第2のCBGとを含み、第1の時間単位中に受信された第1のCBGは、正常に復号されたCBGであり、第1の時間単位中に受信された第2のCBGは、正常に復号されなかったCBGである。
【０１４１】
S450.第2のデバイスは、第2の時間単位中に第1のデバイスから第2のCBGを受信し、第2のデバイスは、第2の時間単位中に第1のCBGを受信しない。
【０１４２】
S460.第2のデバイスは、第1のフィードバック情報セットを生成し、第1のフィードバック情報セットは、第1のフィードバック情報と第2のフィードバック情報とを含み、第1のフィードバック情報は、第1の時間単位と第2の時間単位との間の第1のCBGの復号ステータスをフィードバックするために使用され、第2のフィードバック情報は、第2の時間単位後の第2のCBGの復号ステータスをフィードバックするために使用される。
【０１４３】
S470.第2のデバイスは、第3の時間単位中に第1のデバイスに第1のフィードバック情報セットを送信する。
【０１４４】
第3の情報セットが、複数のCBGと1対1の対応を有する複数のNACKを含むとき、基地局は、第3の情報セットに基づいて第1のTBを再送信してもよい。具体的なプロセスについて、方法300におけるプロセスを参照されたい。方法400におけるUEは、方法300におけるUEと同じであってもよい。簡潔にするために、本明細書では詳細について再び説明しない。
【０１４５】
本出願で提供されるフィードバック情報送信方法によれば、TBを送信するデバイスは、誤警報および非誤警報を識別することができ、それによって再送信効率を改善する。
【０１４６】
オプションで、第1のフィードバック情報は、少なくとも1つのNACKを含み、第1のフィードバック情報は、第1のTBが正常にチェックされず、複数のCBGの各々が正常にチェックされたことを示すために使用される。
【０１４７】
このようにして、TBを送信するデバイスは、誤警報および非誤警報を識別することができ、それによって再送信効率を改善する。
【０１４８】
オプションで、少なくとも1つのNACKは、第1のCBGと1対1の対応を有する。
【０１４９】
このようにして、TBを送信するデバイスは、誤警報および非誤警報を識別することができ、それによって再送信効率を改善する。
【０１５０】
オプションで、第1のフィードバック情報は、第1のCBGと1対1の対応を有するACKを含み、第2のCBGは、第2の時間単位と第3の時間単位との間に正常に復号されず、または、第2のCBGは、第2の時間単位と第3の時間単位との間に正常に復号され、第1のTBは、正常にチェックされる。
【０１５１】
このようにして、TBを送信するデバイスは、誤警報および非誤警報を識別することができ、それによって再送信効率を改善する。
【０１５２】
オプションで、第1のフィードバック情報セットは、複数のCBGと1対1の対応を有する複数のACKを含み、第1のTBは、第1の送信プロセスに対応し、方法400は、以下のステップをさらに含む。
【０１５３】
S480.第2のデバイスは、第1のデバイスから収集情報を受信し、収集情報は、少なくとも1つの送信プロセスに対応するCBGのフィードバック情報を報告するように第2のデバイスに指示するために使用され、少なくとも1つの送信プロセスは、第1の送信プロセスを含む。
【０１５４】
S490.第2のデバイスは、第1の送信プロセスに対応する第2のフィードバック情報セットを第4の時間単位中に第1のデバイスに送信し、第2のフィードバック情報セットは、複数のCBGと1対1の対応を有する複数のNACKを含み、第2のデバイスは、第3の時間単位と第4の時間単位との間に第1の送信プロセスに対応するCBGを受信しない。
【０１５５】
したがって、本出願で提供されるフィードバック情報送信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告するために引き起こされる物理層データパケットの損失を回避するために、複数のNACKをフィードバックしてもよい。
【０１５６】
上記は、本出願で提供されるフィードバック情報送信方法を説明している。以下は、本出願で提供されるフィードバック情報受信方法について添付図面を参照して詳細に説明する。
【０１５７】
図5は、本出願によるフィードバック情報受信方法の概略フローチャートである。方法500は、以下のステップを含む。
【０１５８】
S510.第1のデバイスは、第5の時間単位中に第2のデバイスに第1のTBを送信し、第1のTBは、複数のCBGを含み、複数のCBGは、第6の時間単位中に第1のデバイスによって第2のデバイスに送信される第2のCBGを含み、複数のCBGは、第6の時間単位中に第1のデバイスによって送信されない第1のCBGをさらに含み、第1のCBGは、第5の時間単位と第6の時間単位との間に受信されたフィードバック情報に基づいて第1のデバイスによって決定され、第2のデバイスによって正常に復号されたCBGであり、第2のCBGは、第5の時間単位と第6の時間単位との間に受信されたフィードバック情報に基づいて第1のデバイスによって決定され、第2のデバイスによって正常に復号されなかったCBGであり、第6の時間単位は、第5の時間単位の後である。
【０１５９】
S520.第1のデバイスは、第7の時間単位中に第2のデバイスから第1のフィードバック情報セットを受信し、第1のフィードバック情報セットは、第1のフィードバック情報と第2のフィードバック情報とを含み、第1のフィードバック情報は、第5の時間単位と第6の時間単位との間の第1のCBGの復号ステータスをフィードバックするために使用され、第2のフィードバック情報は、第6の時間単位後の第2のCBGの復号ステータスをフィードバックするために使用され、第7の時間単位は、第6の時間単位の後である。
【０１６０】
S530.第1のデバイスは、第1のフィードバック情報セットに基づいて、第1のTBを再送信するかどうかを決定する。
【０１６１】
方法500において、第1のデバイスは、例えば、基地局であり、第2のデバイスは、例えば、UEである。
【０１６２】
基地局は、第5の時間単位中にUEに第1のTBを送信する。オプションの例では、第1のTBが1つのTTIにおいて送信されるとき、第5の時間単位は、1つのTTIの時間長に等しい。第1のTBが複数のTTIにおいて送信されるとき、第5の時間単位は、複数のTTIの時間長に等しい。別のオプションの例では、基地局は、第1のTBをK回連続して送信してもよい。この場合、第5の時間単位は、K回の送信に使用される時間として理解されるべきである。第5の時間単位中に第1のTBを送信する方法は、本出願では限定されない。
【０１６３】
基地局は、第5の時間単位と第6の時間単位との間の第1のTBのフィードバック情報を受信し、フィードバック情報に基づいて、第1のTBにおいて、いくつかのCBG(すなわち、第1のCBG)が正常に復号され、いくつかのCBG(すなわち、第2のCBG)が正常に復号されなかったと判定する。
【０１６４】
基地局は、第6の時間単位中にUEに第2のCBGを送信し、もはや第1のCBGを送信しない。
【０１６５】
次いで、基地局は、第7の時間単位中に、UEによって送信された第1のフィードバック情報セットを受信する。第1のフィードバック情報セットは、第1のフィードバック情報と第2のフィードバック情報とを含む。方法500における第1のフィードバック情報セットは、方法300における第1のフィードバック情報セットと同じであってもよく、方法500における基地局も、方法300における基地局と同じであってもよい。簡潔にするために、本明細書では詳細について再び説明しない。
【０１６６】
このようにして、本出願で提供されるフィードバック情報送信方法によれば、TBを送信するデバイスは、誤警報および非誤警報を識別することができ、それによって再送信効率を改善する。
【０１６７】
オプションで、第1のフィードバック情報は、少なくとも1つのNACKを含み、第1のフィードバック情報は、第1のTBが正常にチェックされず、複数のCBGの各々が正常にチェックされたことを示すために使用される。
【０１６８】
例えば、第1のCBGは、3つのCBGを含む。誤警報が発生しないとき、第1のフィードバック情報は、3つのACKであり、誤警報が発生したとき、第1のフィードバック情報は、1つのNACKおよび2つのACKである。
【０１６９】
このようにして、TBを送信するデバイスは、誤警報および非誤警報を識別することができ、それによって再送信効率を改善する。
【０１７０】
オプションで、少なくとも1つのNACKは、第1のCBGと1対1の対応を有する。
【０１７１】
このようにして、TBを送信するデバイスは、誤警報および非誤警報を識別することができ、それによって再送信効率を改善する。
【０１７２】
オプションで、第1のフィードバック情報は、第1のCBGと1対1の対応を有するACKを含み、第2のCBGは、第2の時間単位と第3の時間単位との間に正常に復号されず、または、第2のCBGは、第2の時間単位と第3の時間単位との間に正常に復号され、第1のTBは、正常にチェックされる。
【０１７３】
このようにして、TBを送信するデバイスは、誤警報および非誤警報を識別することができ、それによって再送信効率を改善する。
【０１７４】
オプションで、第1のフィードバック情報セットは、複数のCBGと1対1の対応を有する複数のACKを含み、第1のTBは、第1の送信プロセスに対応し、方法500は、以下のステップをさらに含む。
【０１７５】
S540.第1のデバイスは、第2のデバイスに第2のTBを送信し、第2のTBは、少なくとも1つのCBGを含み、第2のTBは、第2の送信プロセスに対応する。
【０１７６】
S550.第1のデバイスは、第2のデバイスに収集情報を送信し、収集情報は、少なくとも2つの送信プロセスに対応するCBGのフィードバック情報を報告するように第2のデバイスに指示するために使用され、少なくとも2つの送信プロセスは、第1の送信プロセスを含む。
【０１７７】
S560.第1のデバイスは、第8の時間単位中に第2のデバイスから、第1の送信プロセスに対応する第2のフィードバック情報セットを受信し、第2のフィードバック情報セットは、複数のCBGと1対1の対応を有する複数のNACKを含み、第1のデバイスは、第7の時間単位と第8の時間単位との間の第2のデバイスについて、第1の送信プロセスに対応するCBGをスケジュールしない。
【０１７８】
第1のフィードバック情報セットが第1のTBに属する複数のCBGと1対1の対応を有するACKを含むとき、それは、複数のCBGの各々が正常に復号され、第1のTBが正常にチェックされたことを示す。次いで、基地局は、新しいTBをUEに送信してもよい。新しいTBは、例えば、第2のTBである。第2のTBは、第2の送信プロセスに対応し、第2の送信プロセスは、第1の送信プロセスとは異なる。次に、基地局は、UEからフィードバック情報を収集する。
【０１７９】
フィードバック情報を請求するとき、基地局は、すべての送信プロセスのフィードバック情報を請求してもよい。基地局は、第1の送信プロセスをスケジュールしないので、基地局は、第1の送信プロセスに対応する複数のNACKを受信し、複数のNACKは、第1のTB内に含まれる複数のCBGと1対1の対応を有する。具体的なプロセスについては、S330およびS340に対応する実施形態を参照されたい。本明細書では詳細について再び説明しない。
【０１８０】
したがって、本出願で提供されるフィードバック情報受信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告するために引き起こされる物理層データパケットの損失を回避するために、複数のNACKをフィードバックしてもよい。
【０１８１】
図6は、本出願による別のフィードバック情報受信方法の概略フローチャートである。方法600は、以下のステップを含む。
【０１８２】
S610.第1のデバイスは、第2のデバイスに第1のTBを送信し、第1のTBは、複数のCBGを含む。
【０１８３】
S620.第1のデバイスは、第2のデバイスから第3のフィードバック情報セットを受信し、第3のフィードバック情報セットは、複数のCBGと1対1の対応を有する複数のNACKを含む。
【０１８４】
S630.第1のデバイスは、第3のフィードバック情報セットに基づいて、複数のCBGが正常にチェックされ、第1のTBが正常にチェックされなかったと判定する。
【０１８５】
方法600において、第1のデバイスは、例えば、基地局であり、第2のデバイスは、例えば、UEである。
【０１８６】
S620において、複数のCBGを復号した結果は、以下の4つのケースを含む。
【０１８７】
ケース1:複数のCBGの各々が正常にチェックされ、第1のTBが正常にチェックされたとき、第3のフィードバック情報セットは、複数のCBGと1対1の対応を有する複数のACKを含む。
【０１８８】
ケース2:複数のCBGのうちのいくつかが正常にチェックされ、いくつかが正常にチェックされなかったとき、第3のフィードバック情報セットは、対応するACKおよびNACKを含む。
【０１８９】
ケース3:複数のCBGのすべてが正常にチェックされなかったとき、第3のフィードバック情報セットは、1つのNACKを含む。
【０１９０】
ケース4:複数のCBGの各々が正常にチェックされたが、第1のTBが正常にチェックされなかったとき(すなわち、誤警報)、第3のフィードバック情報セットは、複数のCBGと1対1の対応を有する複数のNACKを含む。
【０１９１】
S630において、第3のフィードバック情報セットは、他の情報をさらに含んでもよい。加えて、第2のデバイスは、第3の情報セットを自動的に送信してもよく、または、第1のデバイスによって送信されたトリガ情報に基づいて第3の情報セットを送信してもよい。
【０１９２】
結論として、本出願で提供されるフィードバック情報送信方法によれば、TBを送信するデバイスは、誤警報および非誤警報を識別することができ、それによって再送信効率を改善する。
【０１９３】
オプションで、方法600は、以下のステップをさらに含む。
【０１９４】
S640.第1のデバイスは、第5の時間単位中に第2のデバイスに複数のCBGを送信する。
【０１９５】
S650.第1のデバイスは、第6の時間単位中に第2のデバイスに第2のCBGを送信し、第2のCBGは、複数のCBGに属し、第2のCBGは、第5の時間単位と第6の時間単位との間に受信されたフィードバック情報に基づいて第1のデバイスによって決定され、第2のデバイスによって正常に復号されなかったCBGであり、複数のCBGは、第1のCBGをさらに含み、第1のCBGは、第5の時間単位と第6の時間単位との間に受信されたフィードバック情報に基づいて第1のデバイスによって決定され、第2のデバイスによって正常に復号されたCBGであり、第1のデバイスは、第6の時間単位中に第1のCBGを送信しない。
【０１９６】
S660.第1のデバイスは、第7の時間単位中に第2のデバイスから第1のフィードバック情報セットを受信し、第1のフィードバック情報セットは、第1のフィードバック情報と第2のフィードバック情報とを含み、第1のフィードバック情報は、第5の時間単位と第6の時間単位との間の第1のCBGの復号ステータスをフィードバックするために使用され、第2のフィードバック情報は、第6の時間単位と第7の時間帯との間の第2のCBGの復号ステータスをフィードバックするために使用される。
【０１９７】
第3の情報セットが、複数のCBGと1対1の対応を有する複数のNACKを含むとき、基地局は、第3の情報セットに基づいて第1のTBを再送信してもよい。具体的なプロセスについて、方法300におけるプロセスを参照されたい。方法600における基地局は、方法300における基地局と同じであってもよい。簡潔にするために、本明細書では詳細について再び説明しない。
【０１９８】
本出願で提供されるフィードバック情報送信方法によれば、TBを送信するデバイスは、誤警報および非誤警報を識別することができ、それによって再送信効率を改善する。
【０１９９】
オプションで、第1のフィードバック情報は、少なくとも1つのNACKを含み、第1のフィードバック情報は、第1のTBが正常にチェックされず、複数のCBGの各々が正常にチェックされたことを示すために使用される。
【０２００】
このようにして、TBを送信するデバイスは、誤警報および非誤警報を識別することができ、それによって再送信効率を改善する。
【０２０１】
オプションで、少なくとも1つのNACKは、第1のCBGと1対1の対応を有する。
【０２０２】
このようにして、TBを送信するデバイスは、誤警報および非誤警報を識別することができ、それによって再送信効率を改善する。
【０２０３】
オプションで、第1のフィードバック情報は、第1のCBGと1対1の対応を有するACKを含み、第2のCBGは、第2の時間単位と第3の時間単位との間に正常に復号されず、または、第2のCBGは、第2の時間単位と第3の時間単位との間に正常に復号され、第1のTBは、正常にチェックされる。
【０２０４】
このようにして、TBを送信するデバイスは、誤警報および非誤警報を識別することができ、それによって再送信効率を改善する。
【０２０５】
オプションで、第1のフィードバック情報セットは、複数のCBGと1対1の対応を有する複数のACKを含み、第1のTBは、第1の送信プロセスに対応し、方法600は、以下のステップをさらに含む。
【０２０６】
S670.第1のデバイスは、第2のデバイスに第2のTBを送信し、第2のTBは、少なくとも1つのCBGを含み、第2のTBは、第2の送信プロセスに対応する。
【０２０７】
S680.第1のデバイスは、第2のデバイスに収集情報を送信し、収集情報は、少なくとも2つの送信プロセスに対応するCBGのフィードバック情報を報告するように第2のデバイスに指示するために使用され、少なくとも2つの送信プロセスは、第1の送信プロセスを含む。
【０２０８】
S690.第1のデバイスは、第8の時間単位中に第2のデバイスから、第1の送信プロセスに対応する第2のフィードバック情報セットを受信し、第2のフィードバック情報セットは、複数のCBGと1対1の対応を有する複数のNACKを含み、第1のデバイスは、第7の時間単位と第8の時間単位との間に第2のデバイスについて、第1の送信プロセスに対応するCBGをスケジュールしない。
【０２０９】
第1のフィードバック情報セットは、第1のTBに属する複数のCBGと1対1の対応を有するACKを含むとき、それは、複数のCBGの各々が正常に復号され、第1のTBが正常にチェックされたことを示す。次いで、基地局は、新しいTBをUEに送信してもよい。新しいTBは、例えば、第2のTBである。第2のTBは、第2の送信プロセスに対応し、第2の送信プロセスは、第1の送信プロセスとは異なる。次に、基地局は、UEからフィードバック情報を収集する。
【０２１０】
フィードバック情報を請求するとき、基地局は、すべての送信プロセスのフィードバック情報を請求してもよい。基地局は、第1の送信プロセスをスケジュールしない。したがって、基地局は、第1の送信プロセスに対応する複数のNACKを受信し、複数のNACKは、第1のTB内に含まれる複数のCBGと1対1の対応を有する。具体的なプロセスについては、S330およびS340に対応する実施形態を参照されたい。本明細書では詳細について再び説明しない。
【０２１１】
したがって、本出願で提供されるフィードバック情報受信方法によれば、受信側が第1の送信プロセスに対応するCBGを受信しないが、第1の送信プロセスのフィードバックを要求するための収集情報を受信するとき、受信側は、データ送信エラーを回避し、受信側が第1の送信プロセスの制御チャネルの検出を見逃したがACKを報告するために引き起こされる物理層データパケットの損失を回避するために、複数のNACKをフィードバックしてもよい。
【０２１２】
上記は、本出願によるフィードバック情報送信方法およびフィードバック情報受信方法について詳細に説明した。前述の機能を実施するために、端末デバイスおよびアクセスネットワークデバイスは、機能を実行するための対応するハードウェア構造および/またはソフトウェアモジュールを含む。当業者は、本明細書で開示される実施形態で説明される例におけるユニットおよびアルゴリズムステップと組み合わせて、本出願がハードウェアまたはハードウェアとコンピュータソフトウェアとの組合せによって実施されてもよいことを容易に認識すべきである。機能がハードウェアによって実行されるか、またはコンピュータソフトウェアによって駆動されるハードウェアによって実行されるかは、特定の用途と、技術的解決策の設計制約とに依存する。当業者は、各特定の用途に関する説明された機能を実施するために異なる方法を使用してもよいが、実施が本出願の範囲を超えると考えるべきではない。
【０２１３】
本出願において、端末デバイスなどは、前述の方法の例に基づいて機能ユニットに分割されてもよい。例えば、各機能ユニットは、対応する機能に基づいた分割により取得されてもよく、または、2つ以上の機能は、1つの処理ユニットに統合されてもよい。統合されたユニットは、ハードウェアの形態で実現されてもよく、または、ソフトウェア機能ユニットの形態で実現されてもよい。本出願でのユニット分割は、例であり、単に論理的な機能分割であり、実際の実装形態では別の分割方法で実行されてもよいことが留意されるべきである。
【０２１４】
統合されたユニットが使用されるとき、図7は、前述の実施形態による端末デバイスの可能な概略構造図である。端末デバイス700は、処理ユニット702と通信ユニット703とを含む。処理ユニット702は、端末デバイス700のアクションを制御および管理するように構成される。例えば、処理ユニット702は、S320を実行する際に端末デバイス700をサポートするように構成され、かつ/または、本明細書で説明される技術の他のプロセスを実行するように構成される。通信ユニット703は、端末デバイス700と別のネットワークエンティティとの間の通信、例えば、端末デバイス700とアクセスネットワークデバイスとの間の通信をサポートするように構成される。端末デバイス700は、端末デバイス700のプログラムコードおよびデータを記憶するように構成された記憶ユニット701をさらに含んでもよい。
【０２１５】
処理ユニット702は、プロセッサまたはコントローラであってもよく、例えば、中央処理装置(central processing unit、CPU)、汎用プロセッサ、デジタル信号プロセッサ(digital signal processor、DSP)、特定用途向け集積回路(application-specific integrated circuit、ASIC)、フィールドプログラマブルゲートアレイ(field programmable gate array、FPGA)、または別のプログラマブル論理デバイス、トランジスタ論理デバイス、ハードウェア構成要素、またはそれらの組合せであってもよい。処理ユニット702は、本出願で開示されるコンテンツを参照して説明される様々な例示的な論理ブロック、モジュール、および回路を実装または実行してもよい。代替的には、プロセッサは、コンピューティング機能を実施するプロセッサの組合せ、例えば、1つもしくは複数のマイクロプロセッサの組合せ、またはDSPとマイクロプロセッサとの組合せであってもよい。通信ユニット703は、トランシーバ、トランシーバ回路などであってもよい。記憶ユニット701は、メモリであってもよい。
【０２１６】
本出願で提供される端末デバイス700によれば、TBを送信するデバイスは、誤警報および非誤警報を識別することができ、それによって再送信効率を改善する。
【０２１７】
処理ユニット702がプロセッサであり、通信ユニット703がトランシーバであり、記憶ユニット701がメモリであるとき、本出願における端末デバイスは、図8に示す端末デバイスであってもよい。
【０２１８】
図8を参照すると、端末デバイス800は、プロセッサ802と、トランシーバ803と、メモリ801とを含む。トランシーバ803、プロセッサ802、およびメモリ801は、制御信号および/またはデータ信号を転送するために、内部接続経路を使用することによって互いに通信してもよい。
【０２１９】
便利で簡単な説明のために、前述のデバイスおよびユニットの詳細な作業プロセスについて、前述の方法の実施形態における対応するプロセスを指すことは、当業者によって明確に理解することができる。本明細書では詳細について再び説明しない。
【０２２０】
本出願で提供される端末デバイス800によれば、TBを送信するデバイスは、誤警報および非誤警報を識別することができ、それによって再送信効率を改善する。
【０２２１】
統合されたユニットが使用されるとき、図9は、前述の実施形態による端末デバイスの可能な概略構造図である。端末デバイス900は、処理ユニット902と通信ユニット903とを含む。処理ユニット902は、端末デバイス900のアクションを制御および管理するように構成される。例えば、処理ユニット902は、S420を実行する際に端末デバイス900をサポートするように構成され、かつ/または、本明細書で説明される技術の他のプロセスを実行するように構成される。通信ユニット903は、端末デバイス900と別のネットワークエンティティとの間の通信、例えば、端末デバイス900とアクセスネットワークデバイスとの間の通信をサポートするように構成される。端末デバイス900は、端末デバイス900のプログラムコードおよびデータを記憶するように構成された記憶ユニット901をさらに含んでもよい。
【０２２２】
処理ユニット902は、プロセッサまたはコントローラであってもよく、例えば、CPU、汎用プロセッサ、DSP、ASIC、FPGA、または別のプログラマブル論理デバイス、トランジスタ論理デバイス、ハードウェア構成要素、またはそれらの組合せであってもよい。処理ユニット902は、本出願で開示されるコンテンツを参照して説明される様々な例示的な論理ブロック、モジュール、および回路を実装または実行してもよい。代替的には、プロセッサは、コンピューティング機能を実施するプロセッサの組合せ、例えば、1つもしくは複数のマイクロプロセッサの組合せ、またはDSPとマイクロプロセッサとの組合せであってもよい。通信ユニット903は、トランシーバ、トランシーバ回路などであってもよい。記憶ユニット901は、メモリであってもよい。
【０２２３】
本出願で提供される端末デバイス900によれば、TBを送信するデバイスは、誤警報および非誤警報を識別することができ、それによって再送信効率を改善する。
【０２２４】
処理ユニット902がプロセッサであり、通信ユニット903がトランシーバであり、記憶ユニット901がメモリであるとき、本出願における端末デバイスは、図10に示す端末デバイスであってもよい。
【０２２５】
図10を参照すると、端末デバイス1000は、プロセッサ1002と、トランシーバ1003と、メモリ1001とを含む。トランシーバ1003、プロセッサ1002、およびメモリ1001は、制御信号および/またはデータ信号を転送するために、内部接続経路を使用することによって互いに通信してもよい。
【０２２６】
便利で簡単な説明のために、前述のデバイスおよびユニットの詳細な作業プロセスについて、前述の方法の実施形態における対応するプロセスを指すことは、当業者によって明確に理解することができる。本明細書では詳細について再び説明しない。
【０２２７】
本出願で提供される端末デバイス1000によれば、TBを送信するデバイスは、誤警報および非誤警報を識別することができ、それによって再送信効率を改善する。
【０２２８】
統合されたユニットが使用されるとき、図11は、前述の実施形態によるアクセスネットワークデバイスの可能な概略構造図である。アクセスネットワークデバイス1100は、処理ユニット1102と通信ユニット1103とを含む。処理ユニット1102は、アクセスネットワークデバイス1100のアクションを制御および管理するように構成される。例えば、処理ユニット1102は、S530を実行する際にアクセスネットワークデバイス1100をサポートするように構成され、かつ/または、本明細書で説明される技術の他のプロセスを実行するように構成される。通信ユニット1103は、アクセスネットワークデバイス1100と別のネットワークエンティティとの間の通信、例えば、アクセスネットワークデバイス1100と端末デバイスとの間の通信をサポートし、S510などのステップを実行するように構成される。アクセスネットワークデバイス1100は、アクセスネットワークデバイス1100のプログラムコードおよびデータを記憶するように構成された記憶ユニット1101をさらに含んでもよい。
【０２２９】
処理ユニット1102は、プロセッサまたはコントローラであってもよく、例えば、CPU、汎用プロセッサ、DSP、ASIC、FPGA、または別のプログラマブル論理デバイス、トランジスタ論理デバイス、ハードウェア構成要素、またはそれらの組合せであってもよい。処理ユニット1102は、本出願で開示されるコンテンツを参照して説明される様々な例示的な論理ブロック、モジュール、および回路を実装または実行してもよい。代替的には、プロセッサは、コンピューティング機能を実施するプロセッサの組合せ、例えば、1つもしくは複数のマイクロプロセッサの組合せ、またはDSPとマイクロプロセッサとの組合せであってもよい。通信ユニット1103は、トランシーバ、トランシーバ回路などであってもよい。記憶ユニット1101は、メモリであってもよい。
【０２３０】
本出願で提供されるデータ送信のためのアクセスネットワークデバイス1100によれば、TBを送信するデバイスは、誤警報および非誤警報を識別することができ、それによって再送信効率を改善する。
【０２３１】
処理ユニット1102がプロセッサであり、通信ユニット1103がトランシーバであり、記憶ユニット1101がメモリであるとき、本出願におけるアクセスネットワークデバイスは、図12に示すアクセスネットワークデバイスであってもよい。
【０２３２】
図12を参照すると、アクセスネットワークデバイス1200は、プロセッサ1202と、トランシーバ1203と、メモリ1201とを含む。トランシーバ1203、プロセッサ1202、およびメモリ1201は、制御信号および/またはデータ信号を転送するために、内部接続経路を使用することによって互いに通信してもよい。
【０２３３】
便利で簡単な説明のために、前述のデバイスおよびユニットの詳細な作業プロセスについて、前述の方法の実施形態における対応するプロセスを指すことは、当業者によって明確に理解することができる。本明細書では詳細について再び説明しない。
【０２３４】
本出願で提供されるデータ送信のためのアクセスネットワークデバイス1200によれば、TBを送信するデバイスは、誤警報および非誤警報を識別することができ、それによって再送信効率を改善する。
【０２３５】
統合されたユニットが使用されるとき、図13は、前述の実施形態によるアクセスネットワークデバイスの可能な概略構造図である。アクセスネットワークデバイス1300は、処理ユニット1302と通信ユニット1303とを含む。処理ユニット1302は、アクセスネットワークデバイス1300のアクションを制御および管理するように構成される。例えば、処理ユニット1302は、S630を実行する際にアクセスネットワークデバイス1300をサポートするように構成され、かつ/または、本明細書で説明される技術の他のプロセスを実行するように構成される。通信ユニット1303は、アクセスネットワークデバイス1300と別のネットワークエンティティとの間の通信、例えば、アクセスネットワークデバイス1300と端末デバイスとの間の通信をサポートし、S610などのステップを実行するように構成される。アクセスネットワークデバイス1300は、アクセスネットワークデバイス1300のプログラムコードおよびデータを記憶するように構成された記憶ユニット1301をさらに含んでもよい。
【０２３６】
処理ユニット1302は、プロセッサまたはコントローラであってもよく、例えば、CPU、汎用プロセッサ、DSP、ASIC、FPGA、または別のプログラマブル論理デバイス、トランジスタ論理デバイス、ハードウェア構成要素、またはそれらの組合せであってもよい。処理ユニット1302は、本出願で開示されるコンテンツを参照して説明される様々な例示的な論理ブロック、モジュール、および回路を実装または実行してもよい。代替的には、プロセッサは、コンピューティング機能を実施するプロセッサの組合せ、例えば、1つもしくは複数のマイクロプロセッサの組合せ、またはDSPとマイクロプロセッサとの組合せであってもよい。通信ユニット1303は、トランシーバ、トランシーバ回路などであってもよい。記憶ユニット1301は、メモリであってもよい。
【０２３７】
本出願で提供されるデータ送信のためのアクセスネットワークデバイス1300によれば、TBを送信するデバイスは、誤警報および非誤警報を識別することができ、それによって再送信効率を改善する。
【０２３８】
処理ユニット1302がプロセッサであり、通信ユニット1303がトランシーバであり、記憶ユニット1301がメモリであるとき、本出願におけるアクセスネットワークデバイスは、図14に示すアクセスネットワークデバイスであってもよい。
【０２３９】
図14を参照すると、アクセスネットワークデバイス1400は、プロセッサ1402と、トランシーバ1403と、メモリ1401とを含む。トランシーバ1403、プロセッサ1402、およびメモリ1401は、制御信号および/またはデータ信号を転送するために、内部接続経路を使用することによって互いに通信してもよい。
【０２４０】
便利で簡単な説明のために、前述のデバイスおよびユニットの詳細な作業プロセスについて、前述の方法の実施形態における対応するプロセスを指すことは、当業者によって明確に理解することができる。本明細書では詳細について再び説明しない。
【０２４１】
本出願で提供されるデータ送信のためのアクセスネットワークデバイス1400によれば、TBを送信するデバイスは、誤警報および非誤警報を識別することができ、それによって再送信効率を改善する。
【０２４２】
前述のプロセスのシーケンス番号は、本出願の実施形態における実行シーケンスを意味しないことが理解されるべきである。プロセスの実行シーケンスは、プロセスの機能および内部ロジックに基づいて決定されるべきであり、本出願の実装形態プロセスに対するいかなる制限としても解釈されるべきではない。
【０２４３】
加えて、本明細書における「および/または」という用語は、関連するオブジェクトを説明するための関連関係のみを説明し、3つの関係が存在する可能性があることを示す。例えば、Aおよび/またはBは、以下の3つのケース、すなわち、Aのみが存在する、AとBの両方が存在する、およびBのみが存在する、を示す場合がある。加えて、本明細書における「/」という文字は、概して、関連するオブジェクト間の「または」の関係を示す。
【０２４４】
本出願で開示されるコンテンツと組み合わせて説明される方法またはアルゴリズムステップは、ハードウェアによって実施されてもよく、または、ソフトウェア命令を実行することによってプロセッサによって実施されてもよい。ソフトウェア命令は、対応するソフトウェアモジュールを含んでもよい。ソフトウェアモジュールは、ランダムアクセスメモリ(random access memory、RAM)、フラッシュメモリ、読み取り専用メモリ(read only memory、ROM)、消去可能プログラマブル読み取り専用メモリ(erasable programmable ROM、EPROM)、電気的消去可能プログラマブル読み取り専用メモリ(electrically EPROM、EEPROM)、レジスタ、ハードディスク、リムーバブルハードディスク、コンパクトディスク読み取り専用メモリ(CD-ROM)、または当該技術分野で周知の任意の他の形式の記憶媒体内に記憶されてもよい。例えば、記憶デバイスは、プロセッサが情報を記憶媒体から読み取ることができ、または情報を記憶媒体に書き込むことができるように、プロセッサに結合される。確かに、記憶媒体は、プロセッサの構成要素であってもよい。プロセッサおよび記憶媒体は、ASIC内に配置されてもよい。加えて、ASICは、端末デバイス内に配置されてもよい。確かに、プロセッサおよび記憶媒体は、個別の構成要素として端末デバイスおよびアクセスネットワークデバイス内に存在してもよい。
【０２４５】
前述の実施形態のすべてまたはいくつかは、ソフトウェア、ハードウェア、ファームウェア、またはそれらの任意の組合せによって実施されてもよい。実施形態を実施するためにソフトウェアが使用されるとき、実施形態のすべてまたはいくつかは、コンピュータプログラム製品の形態で実施されてもよい。コンピュータプログラム製品は、1つまたは複数のコンピュータ命令を含む。コンピュータプログラム命令がコンピュータ上にロードされ、実行されると、本出願に従って手順または機能のすべてまたはいくつかが生成される。コンピュータは、汎用コンピュータ、専用コンピュータ、コンピュータネットワーク、または別のプログラム可能な装置であってもよい。コンピュータ命令は、コンピュータ可読記憶媒体内に記憶されてもよく、または、コンピュータ可読記憶媒体を使用することによって送信されてもよい。コンピュータ命令は、ウェブサイト、コンピュータ、サーバ、またはデータセンタから、別のウェブサイト、コンピュータ、サーバ、またはデータセンタへ、有線(例えば、同軸ケーブル、光ファイバ、またはデジタル加入者線(DSL))で、またはワイヤレス(例えば、赤外線、無線、またはマイクロ波)で送信されてもよい。コンピュータ可読記憶媒体は、コンピュータによってアクセス可能な任意の利用可能な媒体、または、1つもしくは複数の利用可能な媒体を統合するサーバもしくはデータセンタなどのデータ記憶デバイスであってもよい。利用可能な媒体は、磁気媒体(例えば、フロッピーディスク、ハードディスク、または磁気テープ)、光学媒体(例えば、DVD)、半導体媒体(例えば、固体ディスク(solid state disk、SSD))などであってもよい。
【０２４６】
本出願の目的、技術的解決策、および有益な効果は、前述の特定の実施形態においてさらに詳細に説明されている。前述の説明は、単に本出願の特定の実施形態であり、本出願の保護範囲を限定することを意図するものではないことが理解されるべきである。本出願の技術的解決策に基づいて行われた任意の変更、等価の交換、改善などは、本出願の保護範囲内に入るものとする。
【符号の説明】
【０２４７】
110  アクセスネットワークデバイス
120  端末デバイス
700  端末デバイス
701  記憶ユニット
702  処理ユニット
703  通信ユニット
800  端末デバイス
801  メモリ
802  プロセッサ
803  トランシーバ
900  端末デバイス
901  記憶ユニット
902  処理ユニット
903  通信ユニット
1000  端末デバイス
1001  メモリ
1002  プロセッサ
1003  トランシーバ
1100  アクセスネットワークデバイス
1101  記憶ユニット
1102  処理ユニット
1103  通信ユニット
1200  アクセスネットワークデバイス
1201  メモリ
1202  プロセッサ
1203  トランシーバ
1300  アクセスネットワークデバイス
1301  記憶ユニット
1302  処理ユニット
1303  通信ユニット
1400  アクセスネットワークデバイス
1401  メモリ
1402  プロセッサ
1403  トランシーバ
【図１】
2020515175.tif 000003
【図２】
2020515175.tif 000004
【図３】
2020515175.tif 000005
【図４】
2020515175.tif 000006
【図５】
2020515175.tif 000007
【図６】
2020515175.tif 000008
【図７】
2020515175.tif 000009
【図８】
2020515175.tif 000010
【図９】
2020515175.tif 000011
【図１０】
2020515175.tif 000012
【図１１】
2020515175.tif 000013
【図１２】
2020515175.tif 000014
【図１３】
2020515175.tif 000015
【図１４】
2020515175.tif 000016
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
第2のデバイスによって、第1のデバイスから第1のトランスポートブロック(TB)を受信するステップであって、前記第1のTBが複数のコードブロックグループ(CBG)を備え、前記複数のCBGが、第1の時間単位中に前記第2のデバイスによって受信された第1のCBGおよび第2のCBGを備え、前記第1の時間単位中に受信された前記第1のCBGが正常に復号された少なくとも1つのCBGであり、前記第1の時間単位中に受信された前記第2のCBGが正常に復号されなかった少なくとも1つのCBGである、ステップと、
前記第2のデバイスによって、第1のフィードバック情報セットを生成するステップであって、前記第1のフィードバック情報セットが、第1のフィードバック情報および第2のフィードバック情報を備え、前記第1のフィードバック情報が、前記第1の時間単位と第2の時間単位との間の前記第1のCBGの復号ステータスをフィードバックするために使用され、または、前記第1のフィードバック情報が、前記第1の時間単位中に受信された前記第1のCBGの復号ステータスをフィードバックするために使用され、前記第2のフィードバック情報が、前記第2の時間単位後の前記第2のCBGの復号ステータスをフィードバックするために使用され、前記第2の時間単位が、前記第2のデバイスが前記第1の時間単位後に前記第2のCBGを受信する時間単位であり、前記第2のデバイスが、前記第2の時間単位中に前記第1のCBGを受信しない、ステップと、
前記第2のデバイスによって、第3の時間単位中に前記第1のデバイスに前記第1のフィードバック情報セットを送信するステップと
を備えるフィードバック情報送信方法。
【請求項２】
前記第1のフィードバック情報が、前記第1のCBGと1対1の対応を有する肯定応答(ACK)を備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項1に記載の方法。
【請求項３】
前記第1のフィードバック情報が、少なくとも1つの否定応答(NACK)を備え、前記第1のフィードバック情報が、前記第1のTBが正常にチェックされず、前記複数のCBGの各々が正常にチェックされたことを示すために使用される、請求項1に記載の方法。
【請求項４】
前記少なくとも1つのNACKが、前記第1のCBGと1対1の対応を有する、請求項3に記載の方法。
【請求項５】
第2のデバイスによって、第1のデバイスから第1のトランスポートブロック(TB)を受信するステップであって、前記第1のTBが複数のコードブロックグループ(CBG)を備える、ステップと、
前記第2のデバイスによって、前記複数のCBGの各々を復号するステップと、
前記第2のデバイスによって、前記第1のデバイスに第3のフィードバック情報セットを送信するステップであって、前記第3のフィードバック情報セットが、前記複数のCBGと1対1の対応を有する複数の否定応答(NACK)を備え、前記第3のフィードバック情報セットが、前記複数のCBGが正常にチェックされ、前記第1のTBが正常にチェックされなかったことを示すために使用される、ステップと
を備えるフィードバック情報送信方法。
【請求項６】
第1のデバイスによって、第5の時間単位中に第2のデバイスに第1のトランスポートブロック(TB)を送信するステップであって、前記第1のTBが複数のコードブロックグループCBGを備え、前記複数のCBGが、第1のCBGおよび第2のCBGを備える、ステップと、
前記第1のデバイスによって、第6の時間単位中に前記第2のデバイスに前記第2のCBGを送信し、前記第1のデバイスによって、前記第6の時間単位中に前記第2のデバイスに前記第1のCBGを送信しないステップであって、前記第6の時間単位が前記第5の時間単位の後である、ステップと、
前記第1のデバイスによって、第7の時間単位中に前記第2のデバイスから第1のフィードバック情報セットを受信するステップであって、前記第1のフィードバック情報セットが、第1のフィードバック情報および第2のフィードバック情報を備え、前記第1のフィードバック情報が、前記第5の時間単位と前記第6の時間単位との間の前記第1のCBGの復号ステータスをフィードバックするために使用され、または、前記第1のフィードバック情報が、前記第5の時間単位中に送信された前記第1のCBGの復号ステータスをフィードバックするために使用され、前記第2のフィードバック情報が、前記第6の時間単位後の前記第2のCBGの復号ステータスをフィードバックするために使用され、前記第7の時間単位が前記第6の時間単位の後である、ステップと
を備えるフィードバック情報受信方法。
【請求項７】
前記第1のフィードバック情報が、前記第1のCBGと1対1の対応を有する肯定応答(ACK)を備え、前記第2のCBGが、前記第6の時間単位と前記第7の時間単位との間で正常に復号されず、または、前記第2のCBGが、前記第6の時間単位と前記第7の時間単位との間で正常に復号され、前記第1のTBが、正常にチェックされる、
請求項6に記載の方法。
【請求項８】
前記第1のフィードバック情報が、少なくとも1つの否定応答(NACK)を備え、前記第1のフィードバック情報が、前記第1のTBが正常にチェックされず、前記複数のCBGの各々が正常にチェックされたことを示すために使用される、請求項6に記載の方法。
【請求項９】
前記少なくとも1つのNACKが、前記第1のCBGと1対1の対応を有する、請求項8に記載の方法。
【請求項１０】
第1のデバイスによって、第2のデバイスに第1のトランスポートブロック(TB)を送信するステップであって、前記第1のTBが複数のコードブロックグループ(CBG)を備える、ステップと、
前記第1のデバイスによって、前記第2のデバイスから第3のフィードバック情報セットを受信するステップであって、前記第3のフィードバック情報セットが、前記複数のCBGと1対1の対応を有する複数の否定応答(NACK)を備える、ステップと、
前記第3のフィードバック情報セットに基づいて、前記第1のデバイスによって、前記複数のCBGが正常にチェックされ、前記第1のTBが正常にチェックされなかったことを判定するステップと
を備えるフィードバック情報受信方法。
【請求項１１】
処理ユニットと通信ユニットとを備え、前記処理ユニットおよび前記通信ユニットが通信のために接続された、フィードバック情報送信デバイスであって、
前記通信ユニットが、第1のデバイスから第1のトランスポートブロック(TB)を受信するように構成され、前記第1のTBが複数のコードブロックグループ(CBG)を備え、前記複数のCBGが、第1の時間単位中に前記通信ユニットによって受信された第1のCBGおよび第2のCBGを備え、前記第1の時間単位中に受信された前記第1のCBGが正常に復号された少なくとも1つのCBGであり、前記第1の時間単位中に受信された前記第2のCBGが正常に復号されなかった少なくとも1つのCBGであり、
前記処理ユニットが、第1のフィードバック情報セットを生成するように構成され、前記第1のフィードバック情報セットが、第1のフィードバック情報および第2のフィードバック情報を備え、前記第1のフィードバック情報が、前記第1の時間単位と第2の時間単位との間の前記第1のCBGの復号ステータスをフィードバックするために使用され、前記第2のフィードバック情報が、前記第2の時間単位後の前記第2のCBGの復号ステータスをフィードバックするために使用され、または、前記第1のフィードバック情報が、前記第1の時間単位中に受信された前記第1のCBGの復号ステータスをフィードバックするために使用され、前記第2の時間単位が、前記通信ユニットが前記第1の時間単位後に前記第2のCBGを受信する時間単位であり、前記通信ユニットが、前記第2の時間単位中に前記第1のCBGを受信せず、
前記通信ユニットが、第3の時間単位中に前記第1のデバイスに、前記処理ユニットによって生成された前記第1のフィードバック情報セットを送信するようにさらに構成された、
フィードバック情報送信デバイス。
【請求項１２】
前記第1のフィードバック情報が、前記第1のCBGと1対1の対応を有する肯定応答(ACK)を備え、前記第2のCBGが、前記第2の時間単位と前記第3の時間単位との間で正常に復号されず、または、前記第2のCBGが、前記第2の時間単位と前記第3の時間単位との間で正常に復号され、前記第1のTBが、正常にチェックされる、請求項11に記載のデバイス。
【請求項１３】
前記第1のフィードバック情報が、少なくとも1つの否定応答(NACK)を備え、前記第1のフィードバック情報が、前記第1のTBが正常にチェックされず、前記複数のCBGの各々が正常にチェックされたことを示すために使用される、請求項11に記載のデバイス。
【請求項１４】
前記少なくとも1つのNACKが、前記第1のCBGと1対1の対応を有する、請求項13に記載のデバイス。
【請求項１５】
処理ユニットと通信ユニットとを備え、前記処理ユニットおよび前記通信ユニットが通信のために接続された、フィードバック情報送信デバイスであって、
前記通信ユニットが、第1のデバイスから第1のトランスポートブロック(TB)を受信するように構成され、前記第1のTBが複数のコードブロックグループ(CBG)を備え、
前記処理ユニットが、前記通信ユニットによって受信された前記複数のCBGの各々を復号するように構成され、
前記通信ユニットが、前記第1のデバイスに、前記処理ユニットによって生成された第3のフィードバック情報セットを送信するようにさらに構成され、前記第3のフィードバック情報セットが、前記複数のCBGと1対1の対応を有する複数の否定応答(NACK)を備え、前記第3のフィードバック情報セットが、前記複数のCBGが正常にチェックされ、前記第1のTBが正常にチェックされなかったことを示すために使用される、
フィードバック情報送信デバイス。
【請求項１６】
通信ユニットを備えるフィードバック情報受信デバイスであって、
前記通信ユニットが、第5の時間単位中に第2のデバイスに第1のトランスポートブロック(TB)を送信するように構成され、前記第1のTBが複数のコードブロックグループ(CBG)を備え、前記複数のCBGが、第1のCBGおよび第2のCBGを備え、
前記通信ユニットが、第6の時間単位中に前記第2のデバイスに前記第2のCBGを送信し、前記第6の時間単位中に前記第2のデバイスに前記第1のCBGを送信しないようにさらに構成され、前記第6の時間単位が前記第5の時間単位の後であり、
前記通信ユニットが、第7の時間単位中に前記第2のデバイスから第1のフィードバック情報セットを受信するようにさらに構成され、前記第1のフィードバック情報セットが第1のフィードバック情報および第2のフィードバック情報を備え、前記第1のフィードバック情報が、前記第5の時間単位と前記第6の時間単位との間の前記第1のCBGの復号ステータスをフィードバックするために使用され、または、前記第1のフィードバック情報が、前記第5の時間単位中に送信された前記第1のCBGの復号ステータスをフィードバックするために使用され、前記第2のフィードバック情報が、前記第6の時間単位後の前記第2のCBGの復号ステータスをフィードバックするために使用され、前記第7の時間単位が前記第6の時間単位の後である、
フィードバック情報受信デバイス。
【請求項１７】
前記第1のフィードバック情報が、前記第1のCBGと1対1の対応を有する肯定応答(ACK)を備え、前記第2のCBGが、前記第6の時間単位と第7の第3の時間単位との間で正常に復号されず、または、前記第2のCBGが、前記第6の時間単位と前記第7の時間単位との間で正常に復号され、前記第1のTBが、正常にチェックされる、請求項16に記載のデバイス。
【請求項１８】
前記第1のフィードバック情報が、少なくとも1つの否定応答(NACK)を備え、前記第1のフィードバック情報が、前記第1のTBが正常にチェックされず、前記複数のCBGの各々が正常にチェックされたことを示すために使用される、請求項16に記載のデバイス。
【請求項１９】
前記少なくとも1つのNACKが、前記第1のCBGと1対1の対応を有する、請求項18に記載のデバイス。
【請求項２０】
処理ユニットと通信ユニットとを備え、前記処理ユニットおよび前記通信ユニットが通信のために接続された、フィードバック情報受信デバイスであって、
前記通信ユニットが、第2のデバイスに第1のトランスポートブロックTBを送信するように構成され、前記第1のTBが複数のコードブロックグループCBGを備え、
前記通信ユニットが、前記第2のデバイスから第3のフィードバック情報セットを受信するようにさらに構成され、前記第3のフィードバック情報セットが、前記複数のCBGと1対1の対応を有する複数の否定応答NACKを備え、
前記処理ユニットが、前記通信ユニットによって受信された前記第3のフィードバック情報セットに基づいて、前記複数のCBGが正常にチェックされ、前記第1のTBが正常にチェックされなかったことを判定するように構成された、
フィードバック情報受信デバイス。
【請求項２１】
プロセッサとトランシーバとを備えるフィードバック情報送信デバイスであって、
前記トランシーバが、第1のデバイスから第1のトランスポートブロック(TB)を受信するように構成され、前記第1のTBが複数のコードブロックグループ(CBG)を備え、前記複数のCBGが、第1の時間単位中に前記トランシーバによって受信された第1のCBGおよび第2のCBGを備え、前記第1の時間単位中に受信された前記第1のCBGが正常に復号された少なくとも1つのCBGであり、前記第1の時間単位中に受信された前記第2のCBGが正常に復号されなかった少なくとも1つのCBGであり、
前記プロセッサが、第1のフィードバック情報セットを生成するように構成され、前記第1のフィードバック情報セットが、第1のフィードバック情報および第2のフィードバック情報を備え、前記第1のフィードバック情報が、前記第1の時間単位と第2の時間単位との間の前記第1のCBGの復号ステータスをフィードバックするために使用され、前記第2のフィードバック情報が、前記第2の時間単位後の前記第2のCBGの復号ステータスをフィードバックするために使用され、または、前記第1のフィードバック情報が、前記第1の時間単位中に受信された前記第1のCBGの復号ステータスをフィードバックするために使用され、前記第2の時間単位が、前記トランシーバが前記第1の時間単位後に前記第2のCBGを受信する時間単位であり、前記トランシーバが、前記第2の時間単位中に前記第1のCBGを受信せず、
前記トランシーバが、第3の時間単位中に前記第1のデバイスに、前記プロセッサによって生成された前記第1のフィードバック情報セットを送信するようにさらに構成された、
フィードバック情報送信デバイス。
【請求項２２】
トランシーバを備えるフィードバック情報受信デバイスであって、
前記トランシーバが、第5の時間単位中に第2のデバイスに第1のトランスポートブロック(TB)を送信するように構成され、前記第1のTBが複数のコードブロックグループ(CBG)を備え、前記複数のCBGが、第1のCBGおよび第2のCBGを備え、
前記トランシーバが、前記第6の時間単位中に前記第2のデバイスに前記第2のCBGを送信し、前記第6の時間単位中に前記第2のデバイスに前記第1のCBGを送信しないようにさらに構成され、前記第6の時間単位が前記第5の時間単位の後であり、
前記トランシーバが、第7の時間単位中に前記第2のデバイスから第1のフィードバック情報セットを受信するようにさらに構成され、前記第1のフィードバック情報セットが第1のフィードバック情報および第2のフィードバック情報を備え、前記第1のフィードバック情報が、前記第5の時間単位と前記第6の時間単位との間の前記第1のCBGの復号ステータスをフィードバックするために使用され、または、前記第1のフィードバック情報が、前記第5の時間単位中に送信された前記第1のCBGの復号ステータスをフィードバックするために使用され、前記第2のフィードバック情報が、前記第6の時間単位後の前記第2のCBGの復号ステータスをフィードバックするために使用され、前記第7の時間単位が前記第6の時間単位の後である、
フィードバック情報受信デバイス。
【請求項２３】
命令を記憶するように構成されたコンピュータ記憶媒体であって、前記命令がプロセッサによって実行されると、請求項1から5のいずれか一項に記載の方法が実施される、コンピュータ記憶媒体。
【請求項２４】
命令を記憶するように構成されたコンピュータ記憶媒体であって、前記命令がプロセッサによって実行されると、請求項6から10のいずれか一項に記載の方法が実施される、コンピュータ記憶媒体。
【請求項２５】
請求項1から5のいずれか一項に記載の方法をコンピュータに実施させるプログラム。
【請求項２６】
請求項6から10のいずれか一項に記載の方法をコンピュータに実施させるプログラム。
【手続補正２】
【補正対象書類名】明細書
【補正対象項目名】０００４
【補正方法】変更
【補正の内容】
【０００４】
第5世代(5th-Generation、5G)通信システムは、超高信頼性かつ低レイテンシ通信(ultra-reliable and low-latency communications、URLLC)サービスをサポートするという要件を提起する。URLLCシナリオでは、通常、ワイヤレスエアインターフェースを介する送信レイテンシが1ms以内であり、送信の信頼性が99.999%に達することが必要とされる。加えて、データ送信レイテンシには厳しい要件が課される。
【手続補正３】
【補正対象書類名】明細書
【補正対象項目名】００２８
【補正方法】変更
【補正の内容】
【００２８】
本出願で提供されるフィードバック情報受信方法によれば、TBを送信するデバイスは、誤警報および非誤警報を識別することができ、それによって再送信効率を改善する。
【手続補正４】
【補正対象書類名】明細書
【補正対象項目名】００４９
【補正方法】変更
【補正の内容】
【００４９】
さらなる態様によれば、本出願は、フィードバック情報受信デバイスを提供する。デバイスは、前述の態様の方法における第1のデバイスによって実行される機能を実施してもよい。機能は、ハードウェアによって実施されてもよく、または対応するソフトウェアを実行することによってハードウェアによって実施されてもよい。ハードウェアまたはソフトウェアは、前述の機能に対応する1つまたは複数のユニットまたはモジュールを含む。
【手続補正５】
【補正対象書類名】明細書
【補正対象項目名】００７４
【補正方法】変更
【補正の内容】
【００７４】
受信したフィードバック情報に基づいて、TBが正常に送信されたことを決定した後、送信側は、受信側に新しいTBを送信してもよい。例えば、基地局は、スケジューリング情報内のハイブリッド自動再送要求(hybrid automatic repeat request、HARQ)プロセス番号フィールドと新データインジケータ(new data indicator、NDI)とを使用することによって、現在のデータ送信が最初の送信かまたは再送信かを示してもよい。端末デバイスが2つのスケジューリング情報を連続して受信した後、2つのスケジューリング情報が同じHARQプロセス番号フィールドを搬送し、2つのスケジューリング情報内で搬送されるNDIフィールドのステータスが異なる場合、端末デバイスは、後者のスケジューリング情報を使用することによってスケジューリングされたHARQプロセスが新しいデータの送信に対応することを決定してもよく、または、2つのスケジューリング情報が同じHARQプロセス番号フィールドを搬送し、2つのスケジューリング情報内で搬送されるNDIフィールドのステータスが同じである場合、端末デバイスは、後者のスケジューリング情報を使用することによってスケジューリングされたHARQプロセスが古いデータの再送信に対応することを決定してもよい。再送信されるべきデータがTBのいくつかのCBGであるとき、部分的な再送信を示すために、新しいインジケータフィールドがスケジューリング情報に追加されてもよく、または、フィールドを再解読するために、例えば、スケジューリング情報内の変調およびコーディングスキーム(modulation and coding scheme、MCS)フィールドを再解読するために、スケジューリング情報内の既存のフィールドが再利用されてもよい。前述の方法は、単に説明のための例として使用され、本出願は、それに限定されない。
【手続補正６】
【補正対象書類名】明細書
【補正対象項目名】００８３
【補正方法】変更
【補正の内容】
【００８３】
方法300において、第2のデバイスは、端末デバイスであってもよく、または、アクセスネットワークデバイスであってもよい。第2のデバイスが端末デバイスであるとき、第1のデバイスは、アクセスネットワークデバイスである。第1のデバイスが端末デバイスであるとき、第2のデバイスは、アクセスネットワークデバイスである。理解を容易にするために、以下は、第1のデバイスが基地局であり、第2のデバイスがUEである例を使用することによって、本出願の技術的解決策を説明する。
【手続補正７】
【補正対象書類名】明細書
【補正対象項目名】０１３７
【補正方法】変更
【補正の内容】
【０１３７】
S430において、第3のフィードバック情報セットは、他の情報をさらに含んでもよい。加えて、第2のデバイスは、第3のフィードバック情報セットを自動的に送信してもよく、または、第1のデバイスによって送信されたトリガ情報に基づいて第3のフィードバック情報セットを送信してもよい。
【手続補正８】
【補正対象書類名】明細書
【補正対象項目名】０２１５
【補正方法】変更
【補正の内容】
【０２１５】
処理ユニット702は、プロセッサまたはコントローラであってもよく、例えば、中央処理装置(central processing unit、CPU)、汎用プロセッサ、デジタル信号プロセッサ(digital signal processor、DSP)、特定用途向け集積回路(application-specific integrated circuit、ASIC)、フィールドプログラマブルゲートアレイ(field programmable gate array、FPGA)、または別のプログラマブル論理デバイス、トランジスタ論理デバイス、ハードウェア構成要素、またはそれらの組合せであってもよい。処理ユニット702は、本出願で開示されるコンテンツを参照して説明される様々な例示的な論理ブロック、モジュール、および回路を実装または実行してもよい。代替的には、処理ユニット702は、コンピューティング機能を実施するプロセッサの組合せ、例えば、1つもしくは複数のマイクロプロセッサの組合せ、またはDSPとマイクロプロセッサとの組合せであってもよい。通信ユニット703は、トランシーバ、トランシーバ回路などであってもよい。記憶ユニット701は、メモリであってもよい。
【国際調査報告】
2020515175.tif 000017
2020515175.tif 000018
2020515175.tif 000019
2020515175.tif 000020